(57)【要約】      （修正有）【課題】鍵盤装置の外観を良好にする。【解決手段】長尺白鍵ユニットである第１鍵ユニット３０Ａと、短尺白鍵ユニットである第２及び第３鍵ユニット４０Ａ，５０Ａと、黒鍵ユニットである第４及び第５鍵ユニット６０Ａ，７０Ａとを積層して構成されている。第１乃至第３鍵ユニット３０Ａ〜５０Ａは、左右方向に延設された共通取付け部３３，４３，５３に複数の白鍵３１，４１，５１を接続して、樹脂材料で一体成型されている。第４及び第５鍵ユニット６０Ａ，７０Ａは、左右方向に延設された共通取付け部６３，７３に複数の黒鍵６１，７１を接続して、樹脂材料で一体成型されている。第１鍵ユニット３０Ａの共通取付け部３３の長さが、第２及び第３鍵ユニット４０Ａ，５０Ａの共通取付け部４３，５３の長さの２倍以上である。【選択図】図１２
2016170288.tif 000002
【特許請求の範囲】
【請求項１】
前後方向に延設されていて左右方向に平行に配列された複数の白鍵、及び前記複数の白鍵の後端部に接続されて左右方向に延設された共通取付け部を有し、樹脂材料で一体成型した長尺白鍵ユニットと、
前後方向に延設されていて左右方向に平行に配列された前記長尺白鍵ユニットに属する複数の白鍵とは音高の異なる複数の白鍵、及び前記音高の異なる複数の白鍵の後端部に接続されて左右方向に延設された共通取付け部をそれぞれ有し、それぞれ独立に樹脂材料で一体成型した複数の短尺白鍵ユニットと、
前後方向に延設されていて左右方向に平行に配列された複数の黒鍵、及び前記複数の黒鍵の後端部に接続されて左右方向に延設された共通取付け部を有し、樹脂材料で一体成型した黒鍵ユニットとを備え、
前記長尺白鍵ユニット、前記複数の短尺白鍵ユニット及び前記黒鍵ユニットの共通取付け部をそれぞれ支持部材上に重ねて載置して固定した鍵盤装置であって、
前記長尺白鍵ユニットの共通取付け部の左右方向の長さが前記複数の短尺白鍵ユニットの各共通取付け部の左右方向の長さの２倍以上であることを特徴とする鍵盤装置。
【請求項２】
請求項１に記載の鍵盤装置において、
前記長尺白鍵ユニットが、隣合う２つの白鍵の一方のみを含むことを特徴とする鍵盤装置。
【請求項３】
請求項２に記載した鍵盤装置において、
前記長尺白鍵ユニットが、Ｃ音、Ｅ音、Ｇ音、Ｂ音、Ｄ音、Ｆ音及びＡ音に対応した白鍵をこの順に含み、かつ
前記複数の短尺白鍵ユニットが、Ｄ音、Ｆ音及びＡ音に対応した白鍵をこの順に含む鍵ユニットと、Ｃ音、Ｅ音、Ｇ音及びＢ音に対応した白鍵をこの順に含む鍵ユニットとからなる２つの独立した鍵ユニットで構成されていることを特徴とする鍵盤装置。
【請求項４】
請求項２に記載した鍵盤装置において、
前記長尺白鍵ユニットが、Ｄ音、Ｆ音、Ａ音、Ｃ音、Ｅ音、Ｇ音及びＢ音に対応した白鍵をこの順に含み、かつ
前記複数の短尺白鍵ユニットが、Ｃ音、Ｅ音、Ｇ音及びＢ音に対応した白鍵をこの順に含む鍵ユニットと、Ｄ音、Ｆ音及びＡ音に対応した白鍵をこの順に含む鍵ユニットとからなる２つの独立した鍵ユニットで構成されていることを特徴とする鍵盤装置。
【請求項５】
請求項２に記載した鍵盤装置において、
前記長尺白鍵ユニットが、Ｄ音、Ｆ音、Ａ音、Ｄ音、Ｆ音及びＡ音に対応した白鍵をこの順に含み、かつ
前記複数の短尺白鍵ユニットが、Ｃ音、Ｅ音、Ｇ音及びＢ音に対応した白鍵をこの順にそれぞれ含む２つの独立した鍵ユニットで構成されていることを特徴とする鍵盤装置。
【請求項６】
請求項３乃至５のうちのいずれか一つに記載した鍵盤装置において、
前記長尺白鍵ユニットが、鍵盤のスケールの最高音に対応した白鍵を含むことを特徴とする鍵盤装置。
【発明の詳細な説明】
【技術分野】
【０００１】
本発明は、複数の鍵の後端を左右方向に延設された長尺状の共通取付け部にそれぞれ接続させた複数の鍵ユニットを、鍵フレーム上に重ねて載置して固定した鍵盤装置に関する。
【背景技術】
【０００２】
従来から、樹脂により一体成型された複数の鍵ユニットを鍵フレームに組付けるようにした鍵盤装置はよく知られている。複数の鍵ユニットは、前後方向に延設されて左右方向に平行に配列された複数の鍵と、複数の鍵の後端に接続されて板面を水平にした平板状の複数のヒンジ部と、複数のヒンジ部の後端をそれぞれ接続するとともに左右方向に延設されて複数の鍵及びヒンジ部をそれぞれ連結する共通取付け部とをそれぞれ備えている。下記特許文献１には、１オクターブを１単位として、音名Ｇ＃，Ａ＃，Ｃ＃，Ｄ＃，Ｆ＃に対応した複数の黒鍵を有する鍵ユニット、音名Ｇ，Ｂ，Ｄ，Ｆに対応した複数の白鍵を有する鍵ユニット、及び音名Ａ，Ｃ，Ｅに対応した複数の白鍵を有する鍵ユニットを、それらの共通取付け部にて、この順に鍵フレームの後部に設けた支持部材上にそれぞれ載置する。そして、雄ねじを複数の鍵ユニットにそれぞれ設けた貫通孔に貫通させるとともに支持部材に螺合させて、複数の鍵ユニットを支持部材上に固定するようにしている。このような作業を１オクターブずつ行うことにより、複数オクターブの鍵を有する鍵盤装置が構成される。
【０００３】
この場合、前記３つの鍵ユニットの各共通取付け部の下面の適宜位置に突起をそれぞれ設けるとともに、支持部材及び下側の２つの鍵ユニットの各共通取付け部に前記突起に対向させて位置決め用の孔又は凹部をそれぞれ設けて、前記突起を前記位置決め用の孔又は凹部に勘合させて、前記３つの鍵ユニットを左右方向において位置決めするようにしている。なお、下記特許文献１には、押離鍵時に鍵の前端部の揺動をガイドする鍵ガイドが、支持部材を固定したフレームに設けられている。
【０００４】
また、下記特許文献２，３には、１オクターブを１単位とする複数の鍵ユニットを積層して構成した積層型の鍵盤装置であって、押離鍵時に鍵の前端部の揺動をガイドする鍵ガイドを設けない簡略型の鍵盤装置が示されている。この鍵盤装置では、黒鍵に関する鍵ユニットは音名Ｃ＃，Ｄ＃，Ｆ＃，Ｇ＃，Ａ＃に対応した黒鍵を有し、白鍵に関する鍵ユニットは音名Ｃ，Ｅ，Ｇ，Ｂに対応した白鍵及び音名Ｄ，Ｆ、Ａに対応した白鍵をそれぞれ有する。
【先行技術文献】
【特許文献】
【０００５】
【特許文献１】実開平３−３５５８９号公報
【特許文献２】特開２００２−６２８７６号公報
【特許文献３】特開２００５−９２２３３号公報
【発明の概要】
【０００６】
上記特許文献１〜３に示された鍵ガイドを備えた鍵盤装置においては、各鍵の位置が鍵ガイドにより規制されるので、隣合う鍵ユニット間の隙間の差がそれ程大きくなることはない。しかし、上記特許文献２，３に示された鍵ガイドを有さない鍵盤装置では、各鍵の位置が鍵ガイドにより規制されないので、隣合う鍵ユニット間の隙間の大きさが不揃いになる。この隣合う鍵ユニット間の隙間の不揃いは、低音側の鍵ユニットの最高音である白鍵（すなわちＢ音に対応する白鍵）と、前記鍵ユニットに隣合う高音側の鍵ユニットの最低音である白鍵（すなわちＣ音に対応する白鍵）との間の隙間の大きさが各鍵ユニットごとに異なることを意味する。また、各鍵ユニット間の隙間の横幅が前後位置で異なることもある。そして、この隙間の大きさの差及び前後位置で異なる隙間の横幅は、鍵盤装置の外観を極めて悪化させる。この点について、さらに具体的に説明する。
【０００７】
まず、上記特許文献１に示された鍵盤装置のように、１組付け単位１００ごとの複数の鍵ユニットを突起及び孔（又は凹部）により左右方向の位置決めをする場合について説明する。この場合、図２０に示すように、支持部材及び複数の鍵ユニットにそれぞれ設けた位置決め用の部分１０１（具体的には、突起、孔、凹部など）間には、各部品間の寸法公差がある。例えば、位置決め用の部分１０１から鍵ユニットの共通取付け部の端部（及び鍵ユニットの共通取付け部の端部が対向する位置）までの距離は、各部品間で多少の差がある。したがって、隣合う組み付け単位１００，１００，１００にそれぞれ属する最高音である白鍵と最低音である白鍵との間の隙間すなわち図示矢印位置の隙間は大きくなったり、小さくなったりして、不揃いとなる。
【０００８】
この場合、各鍵ユニットは樹脂材料で一体成型されているので、下層、中層及び上層からなる３つの鍵ユニットの寸法交差による隙間のずれは比較的小さい。しかし、支持部材（例えば、電気回路基板）の位置決め用の部分に関する寸法交差は比較的大きいために、支持部材に組み付けられた隣合う鍵ユニット間における隙間の大きさの差は大きくなる。また、温度などの変化により、支持部材と鍵ユニットとは材質が異なるので、温度による隙間の変化もある程度大きくなる。このように隣合う鍵ユニット間の隙間の差が大きくなると、すなわち、低音側の鍵ユニットの最高音である白鍵（すなわちＢ音に対応する白鍵）と、前記鍵ユニットに隣合う高音側の鍵ユニットの最低音である白鍵（すなわちＣ音に対応する白鍵）との隙間の差が大きくなると、この隙間の差が鍵盤装置の外観を極めて悪化させる。さらに、支持部材の反りが複数の鍵ユニットに影響して、鍵ユニット間の隙間の横幅が前後位置で大きく異なってしまう場合もある。この場合には、特に、鍵盤装置の外観を悪化させる。
【０００９】
また、複数の鍵ユニットの組み付けにおいては、図２１に示すように、隣合う組み付け単位１００，１００，１００間を、一方の幅方向の端部に設けた凹部１０２に、他方の対向する端部に設けた突起１０３を勘合させて、複数の鍵ユニット間を連結する方法もある。この場合、凹部１０２は、各鍵ユニットの共通取付け部の端部にて上下方向に切り込まれており、鍵ユニットの幅方向の外側部分は内側部分より前後方向に幅狭に形成されている。突起１０３は、各鍵ユニットの共通取付け部における凹部１０２とは反対の端部から幅方向に延設されて、その平面形状が凹部１０２の平面形状と同じに形成されている。そして、突起１０３を凹部１０２内に圧入することにより、隣合う組み付け単位１００，１００，１００間が連結される。この場合には、突起及び孔（又は凹部）による複数の鍵ユニットを位置決めする前記場合に比べて、鍵ユニット間の組付け誤差は少なくなる。しかし、この場合も、最下層の鍵ユニットを支持部材に組付ける場合の誤差は前記場合と同様にある程度大きいので、鍵ユニット間の隙間の大きさの差による鍵盤装置の外観上の問題は残る。また、この場合も、支持部材の反りの影響により、鍵ユニット間の隙間の横幅が前後位置で異なり、鍵盤装置の外観上の問題は残る。
【００１０】
本発明は、このような問題に対処するためになされたもので、その目的は、外観を良好にした鍵盤装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【００１１】
前述した目的を達成するため、本発明の特徴は、前後方向に延設されていて左右方向に平行に配列された複数の白鍵（３１）、及び前記複数の白鍵の後端部に接続されて左右方向に延設された共通取付け部（３３）を有し、樹脂材料で一体成型した長尺白鍵ユニット（３０Ａ〜３０Ｈ）と、前後方向に延設されていて左右方向に平行に配列された長尺白鍵ユニットに属する複数の白鍵とは音高の異なる複数の白鍵（４１，５１，４１’，５１’）、及び前記音高の異なる複数の白鍵の後端部に接続されて左右方向に延設された共通取付け部（４３，５３，４３’，５３’）をそれぞれ有し、それぞれ独立に樹脂材料で一体成型した複数の短尺白鍵ユニット（４０Ａ〜４０Ｈ，５０Ａ〜５０Ｈ，４０Ｄ’〜４０Ｈ’，５０Ｄ’，５０Ｅ’）と、前後方向に延設されていて左右方向に平行に配列された複数の黒鍵（６１，７１，６１’）、及び前記複数の黒鍵の後端部に接続されて左右方向に延設された共通取付け部（６３，６３’，７３）を有し、樹脂材料で一体成型した黒鍵ユニット（６０Ａ〜６０Ｈ，７０Ａ〜７０Ｈ，６０Ｆ’〜６０Ｈ’）とを備え、長尺白鍵ユニット、複数の短尺白鍵ユニット及び黒鍵ユニットの共通取付け部をそれぞれ支持部材上に重ねて載置して固定した鍵盤装置であって、長尺白鍵ユニットの共通取付け部の左右方向の長さが複数の短尺白鍵ユニットの各共通取付け部の左右方向の長さの２倍以上であることにある。
【００１２】
前記のように構成した鍵盤装置においては、長尺白鍵ユニットと、複数の短尺白鍵ユニット及び黒鍵ユニットは、樹脂材料で一体成型されている。したがって、前記各鍵ユニットは、組付け誤差及び温度変化による各鍵ユニット間の隙間の差は小さい。そして、複数の短尺白鍵ユニット及び黒鍵ユニットは長尺白鍵ユニットとの組み付けにより位置決めされるので、長尺白鍵ユニット以外の鍵ユニット間の隙間を小さく保つことができる。したがって、長尺白鍵ユニットを支持部材に直接組み付ける場合でも、長尺白鍵ユニット以外の鍵ユニットを支持部材に直接組み付ける場合でも、長尺白鍵ユニット以外の鍵ユニット間の隙間を小さくできる。また、長尺白鍵ユニットは長く、かつ短尺白鍵ユニット及び黒鍵ユニットは長尺白鍵ユニットで連結されているため、支持部材の反りの影響を受け難く、鍵ユニット間の隙間の横幅は前後位置で大きく異なることはない。その結果、本発明によれば、鍵盤装置の外観が良好となる。また、複数の短尺白鍵ユニットの位置決め部と幅方向の端部までの公差を小さくすることができるので、全ての鍵ユニットを本発明の長尺白鍵ユニットと同じ幅に構成した場合と比較すると、積層された各鍵ユニットの両端の位置も合わせ易くなる。さらには、複数の短尺白鍵ユニットを用いることにより、鍵ユニットの組み付け作業が簡単になる。
【００１３】
また、本発明の他の特徴は、長尺白鍵ユニット（３０Ａ〜３０Ｃ，３０Ｅ，３０Ｇ，３０Ｈ）が、隣合う２つの白鍵の一方のみを含むことにある。この場合、隣合う２つの白鍵とは、例えば、Ｂ音とＣ音に対応した２つの白鍵、又はＥ音とＦ音に対応した白鍵である。長尺白鍵ユニットを金型で成型する際、長尺白鍵ユニットが隣合う２つの白鍵の両方を含む場合には、隣合う２つの白鍵間における金型の壁を薄くする必要がある。しかし、本発明の他の特徴では、長尺白鍵ユニットが隣合う２つの白鍵の一方のみを含むので、長尺白鍵ユニットを金型で成型する際、全ての白鍵間における金型の壁を厚くすることができ、金型の耐久性を向上させることができる。
【００１４】
また、本発明の他の特徴は、長尺白鍵ユニット（３０Ａ，３０Ｆ）が、Ｃ音、Ｅ音、Ｇ音、Ｂ音、Ｄ音、Ｆ音及びＡ音に対応した白鍵をこの順に含み、かつ複数の短尺白鍵ユニットが、Ｄ音、Ｆ音及びＡ音に対応した白鍵をこの順に含む鍵ユニット（４０Ａ，４０Ｆ）と、Ｃ音、Ｅ音、Ｇ音及びＢ音に対応した白鍵をこの順に含む鍵ユニット（５０Ａ，５０Ｆ）とからなる２つの独立した鍵ユニットで構成されていることにある。また、これに代えて、長尺白鍵ユニット（３０Ｂ，３０Ｇ）が、Ｄ音、Ｆ音、Ａ音、Ｃ音、Ｅ音、Ｇ音及びＢ音に対応した白鍵をこの順に含み、かつ複数の短尺白鍵ユニットが、Ｃ音、Ｅ音、Ｇ音及びＢ音に対応した白鍵をこの順に含む鍵ユニット（４０Ｂ，４０Ｇ）と、Ｄ音、Ｆ音及びＡ音に対応した白鍵をこの順に含む鍵ユニット（５０Ｂ，５０Ｇ）とからなる２つの独立した鍵ユニットで構成されるようにしてもよい。さらに、長尺白鍵ユニット（３０Ｃ，３０Ｈ）が、Ｄ音、Ｆ音、Ａ音、Ｄ音、Ｆ音及びＡ音に対応した白鍵をこの順に含み、かつ複数の短尺白鍵ユニットが、Ｃ音、Ｅ音、Ｇ音及びＢ音に対応した白鍵をこの順にそれぞれ含む２つの独立した鍵ユニット（４０Ｃ，５０Ｃ，４０Ｈ，５０Ｈ）で構成されるようにしてもよい。
【００１５】
この本発明の他の特徴においても、長尺白鍵ユニット及び短尺白鍵ユニットが隣合う２つの白鍵を含むことなく、隣合う２つの白鍵のうちの一方のみを含むので、前述のように、長尺白鍵ユニット及び短尺白鍵ユニットを成型するための金型の耐久性を向上させることができる。また、短尺白鍵ユニットを構成する２つの鍵ユニットに含まれる白鍵の音高（音名が同じ場合も含む）はそれぞれ異なり、長尺白鍵ユニットと２つの白鍵ユニットは全ての音名の白鍵を含むので、全ての白鍵を上下２層で構成できる。この上下２層の白鍵に加えて、１層の黒鍵を組み合わせれば、鍵盤を３層の鍵ユニットで構成できるので、金型の数を減らすことができるとともに、鍵盤装置の組み立ても簡単になり、鍵盤装置の生産性が向上する。また、長尺白鍵ユニットをＤ音、Ｆ音、Ａ音、Ｄ音、Ｆ音及びＡ音に対応した白鍵を含み、かつ複数の短尺白鍵ユニットをＣ音、Ｅ音、Ｇ音及びＢ音に対応した白鍵をそれぞれ含むように構成した場合には、短尺白鍵ユニットを１種類の金型を用いて成型できるようになるので、生産効率を向上させることができる。
【００１６】
さらに、本発明の他の特徴は、長尺白鍵ユニット（３０Ｆ〜３０Ｈ）が、鍵盤のスケール（音階）の最高音に対応した白鍵を含むことにある。この場合、最高音に対応した白鍵はＣ音の鍵である。７６鍵及び８８鍵以外の６１鍵、４９鍵、３７鍵などのピアノ系の鍵盤装置では、通常、最低音及び最高音はＣ音であることが多い。この場合、最高音のＣ音は、その上のＣ＃音が無いために、他のＣ音の鍵とは異なっていて、黒鍵分の切欠きがなく、かつオクターブの繰り返しからはみ出している。したがって、短尺白鍵ユニット（例えば、オクターブ単位の白鍵ユニット）にこの最高音を含めると、最高音であるＣ音を含む短尺白鍵ユニットだけを他の短尺白鍵ユニットと作り分ける必要が生じてしまい、生産効率が悪化する。しかし、前記本発明の他の特徴のように、長尺白鍵ユニット側に最高音の鍵が含まれるようにすると、鍵ユニットの種類を減らすことが可能となり、鍵盤装置の生産効率を向上させることができる。
【図面の簡単な説明】
【００１７】
【図１】第１実施形態に係る鍵盤装置の２オクターブを示す概略斜視図である。
【図２】図1の上カバーを外した状態の鍵盤装置の平面図である。
【図３】図１の上カバーを外した状態の鍵盤装置の側面図である。
【図４】図１乃至図３の鍵盤装置における第１鍵ユニットの平面図である。
【図５】前記第１鍵ユニットの側面図である。
【図６】図１乃至図３の鍵盤装置における第２鍵ユニットの平面図である。
【図７】前記第２鍵ユニットの側面図である。
【図８】図１乃至図３の鍵盤装置における第３鍵ユニットの平面図である。
【図９】前記第３鍵ユニットの側面図である。
【図１０】図１乃至図３の鍵盤装置における第４及び第５鍵ユニットの平面図である。
【図１１】前記第４及び第５鍵ユニットの側面図である。
【図１２】第１実施形態に係る鍵盤装置の第１乃至第５鍵ユニットの概略平面図である。
【図１３】第１実施形態の第１変形例に係る鍵盤装置の第１乃至第５鍵ユニットの概略平面図である。
【図１４】第１実施形態の第２変形例に係る鍵盤装置の第１乃至第５鍵ユニットの概略平面図である。
【図１５】第２実施形態に係る鍵盤装置の第１乃至第７鍵ユニットの概略平面図である。
【図１６】第２実施形態の第１変形例に係る鍵盤装置の第１乃至第７鍵ユニットの概略平面図である。
【図１７】第３実施形態に係る鍵盤装置の第１乃至第７鍵ユニットの概略平面図である。
【図１８】第３実施形態の第１変形例に係る鍵盤装置の第１乃至第７鍵ユニットの概略平面図である。
【図１９】第３実施形態の第２変形例に係る鍵盤装置の第１乃至第７鍵ユニットの概略平面図である。
【図２０】従来の鍵盤装置の一例を示す概略平面図である。
【図２１】従来の鍵盤装置の他の例を示す概略平面図である。
【発明を実施するための形態】
【００１８】
以下、本発明の種々の実施形態に係る鍵盤装置について説明する。
ａ．第１実施形態
第1実施形態に係る鍵盤装置は、図１乃至図３に示されている。図１は鍵盤装置の２オクターブを示す概略斜視図であり、図２は図1の鍵盤装置の上カバーを外した状態を示す平面図であり、図３は図２の鍵盤装置の側面図である。なお、本明細書においては、演奏者側（図１の左下側及び図２の下側）を鍵盤装置の前方とし、演奏者と反対側（図１の右上側及び図２の上側）を鍵盤装置の後方とする。そして、演奏者の左右方向（図１の左上から右下方向及び図２の左右方向）を鍵盤装置の左右方向とする。
【００１９】
鍵盤装置は、鍵盤の下方にて、鍵盤楽器内に固定された鍵フレーム１０を有する。鍵フレーム１０は、金属、樹脂などにより一体的に形成されて、左右及び前後方向に水平に延設された平板状部材である。鍵フレーム１０の前後方向の中間部及び後端部には、左右方向の適宜箇所（本実施形態では左右方向に沿った６箇所）にて、複数の支持部１１，１２がそれぞれ設けられている。支持部１１，１２は、円筒状に鍵フレーム１０と一体的に形成されて、鍵フレーム１０の上面から上方に突出している。支持部１１，１２には、その上面から下方に延設されたねじ孔が設けられている。支持部１１の上面には、電気回路基板２０が図示しない雄ねじにより固定されている。支持部１２の上面には、電気回路基板２０に加えて、詳しくは後述する樹脂でそれぞれ一体成型した第１乃至第５鍵ユニット３０Ａ，４０Ａ，５０Ａ，６０Ａ，７０Ａも、図示しない雄ねじにより固定されている。電気回路基板２０の前端部及び後端部における支持部１１，１２にそれぞれ対応する左右方向の位置には、雄ねじを貫通させる図示しない貫通孔がそれぞれ設けられている。
【００２０】
電気回路基板２０は樹脂などにより一体的に平板状に形成され、その上面には、ラバードームスイッチで構成した鍵スイッチ２１が配置されるとともに、図示しない電気回路部品及び電気配線パターンが設けられている。なお、電気回路部品及び電気配線パターンに関しては、電気回路基板２０の下面に設けてもよい。電気回路基板２０の前端部であって支持部１１の前方位置の下面には、白鍵３１，４１，５１及び黒鍵６１，７１との衝突緩和のために、左右方向に延設された長尺状のフェルト等の緩衝材２２が張り付けられている。電気回路基板２０及び緩衝材２２は、白鍵３１，４１，５１及び黒鍵６１，７１の離鍵時に、白鍵３１，４１，５１及び黒鍵６１，７１の前端部の上方への変位を規制する。
【００２１】
鍵フレーム１０における支持部１１よりも若干前方に位置する部分には、白鍵３１，４１，５１及び黒鍵６１，７１の押鍵時に白鍵３１，４１，５１及び黒鍵６１，７１の前端部の下方への変位を規制する下限ストッパ部１３が設けられている。下限ストッパ部１３は、前端が後端より若干低くなるように上方にコ字状に突出するとともに、左右方向に延設されて鍵フレーム１０と一体的に形成されている。下限ストッパ部１３の上面には、白鍵３１，４１，５１及び黒鍵６１，７１との衝突緩和のために、左右方向に延設された長尺状のフェルト等の緩衝材１４が張り付けられている。また、鍵フレーム１０の後端部の上方には、左右方向に延設された上カバー１５が設けられている。上カバー１５は、第１乃至第５鍵ユニット３０Ａ，４０Ａ，５０Ａ，６０Ａ，７０Ａの後端部（白鍵３１，４１，５１及び黒鍵６１，７１の後端よりも若干後方位置から後方の部分）を覆って、外観を良好に保つための部材である。
【００２２】
次に、第１鍵ユニット３０Ａについて、図４の平面図及び図５の側面図を用いて説明する。第１鍵ユニット３０Ａは、音名Ｃ，Ｅ，Ｇ，Ｂ，Ｄ，Ｆ，Ａにそれぞれ対応して互いに隣接していない７つの白鍵３１を有する。白鍵３１は、上壁、前壁、左右側壁及び後壁からなり、内部を下方に開口させた方形状の空間を形成している。上壁及び左右側壁には、黒鍵６１，７１のスペースを確保するための段部が設けられている。
【００２３】
白鍵３１の下面における前後方向の中間位置には、下方に延設されて後方を開放させた横断面コ字状の係合片３１ａが、白鍵３１と一体的に形成されている。係合片３１ａの下面は、白鍵３１の押鍵時に緩衝材１４に当接して白鍵３１の前端部の下方への変位を規制する。係合片３１ａの下端部には、その左右両端の後端面から後方に突出した一対の突出部３１ａ１が設けられている。この突出部３１ａ１は、その上面を白鍵３１の離鍵時に緩衝材２２に当接させて、白鍵３１の前端部の上方への変位を規制する。また、白鍵３１の下面における前後方向の中間位置であって、電気回路基板２０に設けた鍵スイッチ２１と対向する位置には、白鍵３１の押鍵時に鍵スイッチ２１を押圧する押圧部３１ｂが設けられている。
【００２４】
これらの７つの白鍵３１の後壁は、ヒンジ部３２を介して共通取付け部（レール部）３３にそれぞれ接続されている。ヒンジ部３２及び共通取付け部３３は、白鍵３１と一体成型されている。ヒンジ部３２は、ヒンジ厚肉部３２ａ及び一対のヒンジ薄肉部３２ｂ，３２ｃからなる。ヒンジ厚肉部３２ａは、上下方向に比較的厚肉であって左右方向に長尺の略方形状かつ平板状に形成されて、上下方向の弾性変形量が少なくなるように構成され、前端にて白鍵３１の後壁の後面における下端部に接続されている。ヒンジ厚肉部３２ａの左右方向の中心位置は、白鍵３１の前端部の左右方向の中心位置と同じである。ヒンジ厚肉部３２ａの左右方向の幅は白鍵３１の前端部の左右方向の幅にほぼ等しく、ヒンジ厚肉部３２ａの左右方向の両端を白鍵３１の前端部の左右方向の両端とほぼ同じに位置させている。また、各ヒンジ厚肉部３２ａの上面であって、白鍵３１の後端部における左右方向のほぼ中央位置には、第１鍵ユニット３０Ａを一体成型する際に樹脂を注入するためのゲート位置であるゲート対応部３２ａ１が設けられている。
【００２５】
ヒンジ薄肉部３２ｂ，３２ｃは、上下方向にヒンジ厚肉部３２ａに比べて薄く、長方形状かつ平板状に形成されて、上下方向の弾性変形量が大きくなるように構成され、前端にてヒンジ厚肉部３２ａの左右方向の外端部における後面の下端部にそれぞれ接続されている。ヒンジ薄肉部３２ｂ，３２ｃは、白鍵３１の前端部の左右方向の中心に対して対称位置に所定の間隔を空けて設けられている。ヒンジ薄肉部３２ｂの左端は白鍵３１の前端部の左端とほぼ同じ位置（ヒンジ厚肉部３２ａの左端と同じ位置）であり、ヒンジ薄肉部３２ｃの右端は白鍵３１の前端部の右端とほぼ同じ位置（ヒンジ厚肉部３２ａの右端と同じ位置）である。
【００２６】
共通取付け部３３は、前後方向の縦断面を略方形状とする左右方向に長尺状の部材であり、前面の上部にヒンジ薄肉部３２ｂ，３２ｃの後端を接続させている。共通取付け部３３は、下面に左右方向に延設された凹部３３ａを有するとともに、上面に左右方向に延設された凸部３３ｂを有する。共通取付け部３３の下面には、左右方向の適宜箇所（本実施形態では左右方向の両端部と中間部の３箇所）にて、下方に突出した突起３３ｃが設けられている。突起３３ｃは、下端を面取りした円柱状に形成されており、共通取付け部３３を電気回路基板２０の後端部に組付ける際に電気回路基板２０に設けた図示しない貫通孔に圧入される。共通取付け部３３における左側部分及び右側部分の適宜箇所には、貫通孔３３ｄ１，３３ｄ２がそれぞれ設けられている。貫通孔３３ｄ１，３３ｄ２は、円形に形成されており、第２及び第３鍵ユニット４０Ａ，５０Ａを第１鍵ユニット３０Ａに組付ける際に、第２及び第３鍵ユニット４０Ａ，５０Ａに設けた後述する突起４３ｃ，５３ｃを圧入させる。また、共通取付け部３３における鍵フレーム１０の支持部１２と対応する左右方向の位置には、貫通孔３３ｅも設けられている。貫通孔３３ｅは、貫通孔３３ｄ１，３３ｄ２よりも若干大径の円形に形成されており、電気回路基板２０及び第１乃至第５鍵ユニット３０Ａ，４０Ａ，５０Ａ，６０Ａ，７０Ａを鍵フレーム１０に組付ける際に、図示しない雄ねじを貫通させる。さらに、共通取付け部３３の下面の左右方向の適宜箇所（本実施形態では左右方向の中間部の３箇所）には、下方に突出した突出片３３ｆも設けられている。この突出片３３ｆは、共通取付け部３３を電気回路基板２０の後端部に組付ける際に電気回路基板２０に設けた図示しない貫通孔に多少の隙間をもって挿入されてガイド機能を果たす。
【００２７】
次に、第２鍵ユニット４０Ａについて、図６の平面図及び図７の側面図を用いて説明する。第２鍵ユニット４０Ａは、音名Ｄ，Ｆ，Ａにそれぞれ対応して互いに隣接していない３つの白鍵４１を有する。白鍵４１も、上壁、前壁、左右側壁及び後壁からなり、内部を下方に開口させた方形状の空間を形成している。白鍵４１の前後方向の長さ及び高さは白鍵３１の場合と同じであり、上壁及び左右側壁に設けた黒鍵６１のスペースを確保するための段部は第１鍵ユニット４０Ａの音名Ｄ，Ｆ，Ａに対応した白鍵３１の段部と同じである。また、白鍵４１の下面における前後方向の中間位置には、白鍵３１の係合片３１ａ及び押圧部３１ｂと同様な突出部４１ａ１を有する係合片４１ａ及び押圧部４１ｂが設けられている。
【００２８】
これらの３つの白鍵４１の後壁は、ヒンジ部４２を介して共通取付け部４３にそれぞれ接続されている。ヒンジ部４２及び共通取付け部４３は、白鍵４１と一体成型されている。ヒンジ部４２は、第１鍵ユニット３０Ａのヒンジ厚肉部３２ａ及び一対のヒンジ薄肉部３２ｂ，３２ｃと同様に構成したヒンジ厚肉部４２ａ及び一対のヒンジ薄肉部４２ｂ，４２ｃからなる。また、各ヒンジ厚肉部４２ａの上面であって、白鍵４１の左右方向のほぼ中央位置には、第１鍵ユニット３０Ａのゲート対応部３２ａ１と同様なゲート対応部４２ａ１が設けられている。共通取付け部４３も、第１鍵ユニット３０Ａの共通取付け部３３とほぼ同様に構成されており、前述した凹部３３ａ、凸部３３ｂ、突起３３ｃ、貫通孔３３ｄ１，３３ｄ２及び貫通孔３３ｅと同様な凹部４３ａ、凸部４３ｂ、突起４３ｃ、貫通孔４３ｄ及び貫通孔４３ｅを有する。ただし、共通取付け部４３の左右方向の長さは、第１鍵ユニット３０Ａの共通取付け部３３の左右方向の長さの２分の１よりも若干短い。
【００２９】
また、この第２鍵ユニット４０Ａにおいては、ヒンジ厚肉部４２ａの前端は白鍵４１の後壁の後面における下端部に接続されているが、ヒンジ薄肉部４２ｂ，４２ｃの前端はヒンジ厚肉部４２ａの後面の上端部にそれぞれ接続され、ヒンジ薄肉部４２ｂ，４２ｃの後端は共通取付け部４３の前面の下部に接続されている。そして、第１及び第２鍵ユニット３０Ａ，４０Ａを鍵フレーム１０及び電気回路基板２０に組付けた状態では、ヒンジ厚肉部４２ａは第１鍵ユニット３０Ａのヒンジ厚肉部３２ａと同じ高さに位置し、共通取付け部４３及びヒンジ薄肉部４２ｂ，４２ｃは第１鍵ユニット３０Ａの共通取付け部３３及びヒンジ薄肉部３２ｂ，３２ｃよりも上方に位置する。また、ヒンジ厚肉部４２ａは、第１鍵ユニット３０Ａのヒンジ厚肉部３２ａとの間に、左右方向に僅かな隙間を隔てて位置する。
【００３０】
凹部４３ａの前後方向の幅は第１鍵ユニット３０Ａの凸部３３ｂの前後方向の幅とほぼ同じであり、第２鍵ユニット４０Ａの共通取付け部４３を第１鍵ユニット３０Ａの共通取付け部３３上に組付けた状態で、第１鍵ユニット３０Ａの凸部３３ｂを凹部４３ａ内に勘合させる。突起４３ｃは、第１鍵ユニット３０Ａの貫通孔３３ｄ１と左右方向の対向する位置に設けられ、貫通孔３３ｄ１の内径とほぼ同じ外径を有し、第２鍵ユニット４０Ａの共通取付け部４３を第１鍵ユニット３０Ａの共通取付け部３３上に組付けた状態で、貫通孔３３ｄ１に圧入される。貫通孔４３ｄは、共通取付け部４３における左右方向の適宜箇所（本実施形態では左右方向の中間部の１箇所）に設けられている。貫通孔４３ｄは、円形に形成されており、第４鍵ユニット６０Ａを第２鍵ユニット３０Ａに組付ける際に、第４鍵ユニット６０Ａに設けた後述する突起６３ｃを圧入させる。貫通孔４３ｅは、共通取付け部４３における鍵フレーム１０の支持部１２及び第１鍵ユニット３０Ａの貫通孔３３ｅと対応する左右方向の位置に設けられている。貫通孔４３ｅは、電気回路基板２０及び第１乃至第５鍵ユニット３０Ａ，４０Ａ，５０Ａ，６０Ａ，７０Ａを鍵フレーム１０に組付ける際に、図示しない雄ねじを貫通させる。
【００３１】
次に、第３鍵ユニット５０Ａについて、図８の平面図及び図９の側面図を用いて説明する。第３鍵ユニット５０Ａは、音名Ｃ，Ｅ，Ｇ，Ｂにそれぞれ対応して互いに隣接していない４つの白鍵５１を有する。白鍵５１も、上壁、前壁、左右側壁及び後壁からなり、内部を下方に開口させた方形状の空間を形成している。白鍵５１の前後方向の長さ及び高さは白鍵３１，４１の場合と同じであり、上壁及び左右側壁に設けた黒鍵７１のスペースを確保するための段部は第１鍵ユニット３０Ａの音名Ｃ，Ｅ，Ｇ，Ｂに対応した白鍵３１の段部と同じである。また、白鍵５１の下面における前後方向の中間位置には、白鍵３１の係合片３１ａ及び押圧部３１ｂと同様な突出部５１ａ１を有する係合片５１ａ及び押圧部５１ｂが設けられている。
【００３２】
これらの４つの白鍵５１の後壁は、ヒンジ部５２を介して共通取付け部５３にそれぞれ接続されている。ヒンジ部５２及び共通取付け部５３は、白鍵５１と一体成型されている。ヒンジ部５２は、第１鍵ユニット３０Ａのヒンジ厚肉部３２ａ及び一対のヒンジ薄肉部３２ｂ，３２ｃと同様に構成したヒンジ厚肉部５２ａ及び一対のヒンジ薄肉部５２ｂ，５２ｃからなる。また、各ヒンジ厚肉部５２ａの上面であって、白鍵５１の左右方向のほぼ中央位置には、第１鍵ユニット３０Ａのゲート対応部３２ａ１と同様なゲート対応部５２ａ１が設けられている。共通取付け部５３も、第１鍵ユニット３０Ａの共通取付け部３３とほぼ同様に構成されており、前述した凹部３３ａ、凸部３３ｂ、突起３３ｃ、貫通孔３３ｄ１，３３ｄ２及び貫通孔３３ｅと同様な凹部５３ａ、凸部５３ｂ、突起５３ｃ、貫通孔５３ｄ及び貫通孔５３ｅを有する。ただし、共通取付け部５３の左右方向の長さは、第１鍵ユニット３０Ａの共通取付け部３３の左右方向の長さの２分の１よりも若干短く、第２鍵ユニット４０Ａの共通取付け部３３の左右方向の長さに等しい。
【００３３】
また、この第３鍵ユニット５０Ａにおいては、第２鍵ユニット４０Ａと同様に、ヒンジ厚肉部５２ａの前端は白鍵５１の後壁の後面における下端部に接続されているが、ヒンジ薄肉部５２ｂ，５２ｃの前端はヒンジ厚肉部５２ａの後面の上端部にそれぞれ接続され、ヒンジ薄肉部５２ｂ，５２ｃの後端は共通取付け部５３の前面の下部に接続されている。そして、第１及び第３鍵ユニット３０Ａ，５０Ａを鍵フレーム１０及び電気回路基板２０に組付けた状態では、ヒンジ厚肉部５２ａは第１鍵ユニット３０Ａのヒンジ厚肉部３２ａと同じ高さに位置し、共通取付け部５３及びヒンジ薄肉部５２ｂ，５２ｃは第１鍵ユニット３０Ａの共通取付け部３３及びヒンジ薄肉部３２ｂ，３２ｃよりも上方に位置する。なお、共通取付け部５３及びヒンジ薄肉部５２ｂ，５２ｃの高さは、第２鍵ユニット４０Ａの共通取付け部４３及びヒンジ薄肉部４２ｂ，４２ｃの高さと同じである。また、ヒンジ厚肉部４２ａは、第１鍵ユニット３０Ａのヒンジ厚肉部３２ａとの間に、左右方向に僅かな隙間を隔てて位置する。
【００３４】
凹部４３ａの前後方向の幅は第１鍵ユニット３０Ａの凸部３３ｂの前後方向の幅とほぼ同じであり、第３鍵ユニット５０Ａの共通取付け部５３を第１鍵ユニット３０Ａの共通取付け部３３上に組付けた状態で、第１鍵ユニット３０Ａの凸部３３ｂを凹部５３ａ内に勘合させる。突起５３ｃは、第１鍵ユニット３０Ａの貫通孔３３ｄ２と左右方向の対向する位置に設けられ、貫通孔３３ｄ２の内径とほぼ同じ外径を有し、第３鍵ユニット５０Ａの共通取付け部５３を第１鍵ユニット３０Ａの共通取付け部３３上に組付けた状態で、貫通孔３３ｄ２に圧入される。貫通孔５３ｄは、共通取付け部５３における左右方向の適宜箇所（本実施形態では左右方向の中間部の１箇所）に設けられている。貫通孔５３ｄは、円形に形成されており、第５鍵ユニット７０Ａを第３鍵ユニット３０Ａに組付ける際に、第５鍵ユニット７０Ａに設けた後述する突起７３ｃを圧入させる。貫通孔５３ｅは、共通取付け部５３における鍵フレーム１０の支持部１２及び第１鍵ユニット３０Ａの貫通孔３３ｅと対応する左右方向の位置に設けられている。貫通孔５３ｅは、電気回路基板２０及び第１乃至第５鍵ユニット３０Ａ，４０Ａ，５０Ａ，６０Ａ，７０Ａを鍵フレーム１０に組付ける際に、図示しない雄ねじを貫通させる。
【００３５】
次に、第４鍵ユニット６０Ａについて、図１０の平面図及び図１１の側面図を用いて説明する。第４鍵ユニット６０Ａは、音名Ｃ＃，Ｄ＃，Ｆ＃，Ｇ＃，Ａ＃にそれぞれ対応して互いに隣接していない５つの黒鍵６１を有する。黒鍵６１も、上壁、前壁、左右側壁及び後壁からなり、内部を下方に開口させた方形状の空間を形成している。ただし、黒鍵６１の前後方向の長さは白鍵３１，４１，５１の前後方向の長さよりも短く、黒鍵６１の高さは白鍵３１，４１，５１の高さよりも高い。黒鍵６１の前壁の上部は、下方に向かって前方に位置するように傾斜している。黒鍵６１の下面における前端位置には、白鍵３１の係合片３１ａと同様な突出部６１ａ１を有する係合片６１ａが設けられている。黒鍵６１の下面における中間位置には、白鍵３１の押圧部３１ｂと同様な押圧部６１ｂが設けられている。また、係合片６１ａの前面における下部（非外観部）には、第１鍵ユニット３０Ａのゲート対応部３２ａ１と同様なゲート対応部６１ａ２が設けられている。
【００３６】
さらに、黒鍵６１の後端部の下面には、平板状かつ方形状に形成されるとともに左右方向の長さを黒鍵６１の左右方向の幅とほぼ同じにして、下方に突出した突出片６１ｃが設けられている。突出片６１ｃは、第１乃至第５鍵ユニット３０Ａ，４０Ａ，５０Ａ，６０Ａ，７０Ａを鍵フレーム１０及び電気回路基板２０に組付けた状態では、Ｅ音及びＦ音に対応した白鍵３１，４１，５１の間を除く他の隣接した白鍵３１，４１，５１の間にて、第１乃至第３鍵ユニット３０Ａ，４０Ａ，５０Ａのヒンジ厚肉部３２ａ，４２ａ，５２ａの前方に上方から侵入している。
【００３７】
これらの５つの黒鍵６１の後壁は、ヒンジ部６２を介して共通取付け部６３にそれぞれ接続されている。ヒンジ部６２及び共通取付け部６３は、黒鍵６１と一体成型されている。ヒンジ部６２は、第１鍵ユニット３０Ａのヒンジ厚肉部３２ａ及び一対のヒンジ薄肉部３２ｂ，３２ｃと同様に構成したヒンジ厚肉部６２ａ及び一対のヒンジ薄肉部６２ｂ，６２ｃからなる。共通取付け部６３も、第１鍵ユニット３０Ａの共通取付け部３３とほぼ同様に構成されており、前述した凹部３３ａ、凸部３３ｂ、突起３３ｃ及び貫通孔３３ｅと同様な凹部６３ａ、凸部６３ｂ、突起６３ｃ及び貫通孔６３ｅを有する。ただし、共通取付け部６３の左右方向の長さは、第１鍵ユニット３０Ａの共通取付け部３３の左右方向の長さの２分の１よりも若干短く、第２及び第３鍵ユニット４０Ａ，５０Ａの共通取付け部４３，５３の長さに等しい。
【００３８】
また、この第４鍵ユニット６０Ａにおいては、ヒンジ厚肉部６２ａの前端は黒鍵６１の後壁の後面における下端部に接続されているが、ヒンジ薄肉部６２ｂ，６２ｃの前端はヒンジ厚肉部６２ａの後面の下端部にそれぞれ接続され、ヒンジ薄肉部６２ｂ，６２ｃの後端は共通取付け部６３の前面の下部に接続されている。そして、第１乃至第５鍵ユニット３０Ａ，４０Ａ，５０Ａ，６０Ａ，７０Ａを鍵フレーム１０及び電気回路基板２０に組付けた状態では、第４鍵ユニット６０Ａの共通取付け部６３、ヒンジ厚肉部６２ａ及びヒンジ薄肉部６２ｂ，６２ｃは、第２及び第３鍵ユニット４０Ａ，５０Ａの共通取付け部４３，５３、ヒンジ厚肉部４２ａ，５２ａ及びヒンジ薄肉部４２ｂ，４２ｃ，５２ｂ，５２ｃよりもそれぞれ上方に位置するようになっている。
【００３９】
ヒンジ厚肉部６２ａの形状及び上下方向の厚さは第１鍵ユニット３０Ａのヒンジ厚肉部３２ａの形状及び上下方向の厚さとほぼ同じである。しかし、ヒンジ厚肉部６２ａの前後方向の長さはヒンジ厚肉部３２ａの前後方向の長さよりも極僅かに短く、かつヒンジ厚肉部６２ａの左右方向の長さはヒンジ厚肉部３２ａの左右方向の長さよりも僅かに長い。ヒンジ厚肉部６２ａの左右方向の中心位置は、黒鍵６１の左右方向の中心位置と同じである。ヒンジ薄肉部６２ｂ，６２ｃの形状、上下方向の厚さ及び前後方向の長さは、第１鍵ユニット３０Ａのヒンジ薄肉部３２ｂ，３２ｃの形状、上下方向の厚さ及び前後方向の長さとほぼ同じである。しかし、ヒンジ薄肉部６２ｂ，６２ｃの左右方向の長さはヒンジ薄肉部３２ｂ，３２ｃの左右方向の長さよりも僅かに短い。そして、ヒンジ薄肉部６２ｂ，６２ｃも、黒鍵６１の左右方向の中心に対して対称に配置されているが、ヒンジ薄肉部６２ｂ，６２ｃの間の隙間は、ヒンジ薄肉部３２ｂ，３２ｃの間の隙間よりも大きい。
【００４０】
また、ヒンジ厚肉部６２ａの左右両端には、第１及び第２鍵ユニット３０Ａ，４０Ａのヒンジ部３２，４２を上方から目立たないようにするために、左右方向にそれぞれ突出した突出部（タブ）６２ｄ，６２ｅが設けられている。突出部６２ｄ，６２ｅは、上下方向の厚さをヒンジ厚肉部６２ａの上下方向の厚さと同じにし、かつ前後方向の長さをヒンジ厚肉部６２ａの前後方向の長さによりも短くして、外側端に面取りをそれぞれ設けた方形状に形成されている。これらの突出部６２ｄ，６２ｅは、前面をヒンジ厚肉部６２ａの前面と同一にして、ヒンジ厚肉部６２ａの前部に設けられている。これにより、突出部６２ｄ，６２ｅの後面は、ヒンジ厚肉部６２ａの後面よりも前方に位置する。また、突出部６２ｄ，６２ｅの後面は下方に向かって前側に傾斜している。複数の黒鍵６１に対応した突出部６２ｄ，６２ｅの左右方向の長さはそれぞれ異なり、隣接した２つの黒鍵６１に対応した突出部６２ｄと突出部６２ｅの間には僅かな隙間が設けられている。
【００４１】
このように突出部６２ｄ，６２ｅを構成することにより、第１乃至第５鍵ユニット３０Ａ，４０Ａ，５０Ａ，６０Ａ，７０Ａを鍵フレーム１０及び電気回路基板２０に組付けた状態では、第１及び第２鍵ユニット３０Ａ，４０Ａのヒンジ厚肉部３２ａ，４２ａの後部上面上の一部に、隣接した黒鍵６１の一対のヒンジ厚肉部６２ａ，６２ａ間において空間が形成される。そして、この空間に対応したヒンジ厚肉部３２ａ，４２ａの上面上に、前述したゲート対応部３２ａ１，４２ａ１が設けられている。これは、ゲート対応部３２ａ１，４２ａ１に樹脂を注入して第１及び第２鍵ユニット３０Ａ，４０Ａを一体成型した際に、ゲート対応部３２ａ１，４２ａ１に残る小さなゲート跡（突起）に、突出部５２ｄ，５２ｅの下面が接触しないようにするためである。
【００４２】
凹部６３ａの前後方向の幅は第２鍵ユニット４０Ａの凸部４３ｂの前後方向の幅とほぼ同じであり、第４鍵ユニット６０Ａの共通取付け部６３を第２鍵ユニット４０Ａの共通取付け部４３上に組付けた状態で、第２鍵ユニット４０Ａの凸部４３ｂを凹部６３ａ内に勘合させる。突起６３ｃは、第２鍵ユニット４０Ａの貫通孔４３ｄと左右方向の対向する位置に設けられ、貫通孔４３ｄの内径とほぼ同じ外径を有し、第４鍵ユニット６０Ａの共通取付け部６３を第２鍵ユニット４０Ａの共通取付け部４３上に組付けた状態で、貫通孔４３ｄに圧入される。貫通孔６３ｅは、共通取付け部６３における鍵フレーム１０の支持部１２及び第１及び第２鍵ユニット３０Ａ，４０Ａの貫通孔３３ｅ，４３ｅと対応する左右方向の位置に設けられている。貫通孔６３ｅは、電気回路基板２０及び第１乃至第５鍵ユニット３０Ａ，４０Ａ，５０Ａ，６０Ａ，７０Ａを鍵フレーム１０に組付ける際に、図示しない雄ねじを貫通させる。
【００４３】
共通取付け部６３の後端面における左右方向の適宜箇所（本実施形態では左右方向の中間部の２箇所）には、フック部６３ｆが下方に延設されている。フック部６３ｆの下端部には、前方に突出され、上面を平面にして縦断面形状を３角形状とする係止用爪が設けられている。第１乃至第５鍵ユニット３０Ａ，４０Ａ，５０Ａ，６０Ａ，７０Ａを電気回路基板２０に組付ける際に、このフック部６３ｆの係止用爪が電気回路基板２０の下面後端部に係合する。ただし、図示しない雄ねじにより第１乃至第５鍵ユニット３０Ａ，４０Ａ，５０Ａ，６０Ａ，７０Ａ及び電気回路基板２０を鍵フレーム１０に固定した状態では、フック部６３の係止用爪は電気回路基板２０の下面後端部に係合（すなわち接触）していない。また、共通取付け部６３には、フック部６３ｆに対応した位置にて、係止用爪の上面に対向するとともに共通取付け部６３を上下方向に貫通する方形状の貫通孔６３ｇが形成されている。これは、第４鍵ユニット６０Ａを樹脂で一体成型する際に、フック部６３ｆの係止用爪を上下の金型を用いて簡単に成型するためである。
【００４４】
次に、第５鍵ユニット７０Ａについて説明する。第５鍵ユニット７０Ａも、音名Ｃ＃，Ｄ＃，Ｆ＃，Ｇ＃，Ａ＃にそれぞれ対応して互いに隣接していない５つの黒鍵７１を有し、第４鍵ユニット６０Ａと全く同一の構成であるので、説明を省略する。異なる点は、第１乃至第５鍵ユニット３０Ａ，４０Ａ，５０Ａ，６０Ａ，７０Ａを電気回路基板２０上に組付けた状態では、第３鍵ユニット５０Ａ上に組み付けられて固定される点である。なお、第５鍵ユニット７０Ａの各部の符号は、図１０及び図１１において括弧内に示されている。上記第１実施形態において、第１鍵ユニット３０Ａが本発明の長尺白鍵ユニットに対応し、第２及び第３鍵ユニット４０Ａ，５０Ａが本発明の短尺白鍵ユニットに対応する。
【００４５】
次に、前記のように構成した電気回路基板２０及び第１乃至第５鍵ユニット３０Ａ，４０Ａ，５０Ａ，６０Ａ，７０Ａの鍵フレーム１０への組付けについて、図１２を含めて説明する。なお、図１２及び後述する図１３乃至図１９における鍵ユニットは、細部を省略して概略的に示されている。まず、図１２に示すように、樹脂により一体成型した第１乃至第５鍵ユニット３０Ａ，４０Ａ，５０Ａ，６０Ａ，７０Ａを用意する。そして、第１鍵ユニット３０Ａの共通取付け部３３の左側上面に第２鍵ユニット４０Ａの共通取付け部４３を載置して、第２鍵ユニット４０Ａを第１鍵ユニット３０Ａに組付ける。この場合、共通取付け部３３の凸部３３ｂを共通取付け部４３の凹部４３ａに勘合させるとともに、共通取付け部４３の突起４３ｃを共通取付け部３３の貫通孔３３ｄ１に圧入する。また、第１鍵ユニット３０Ａの共通取付け部３３の右側上面に第３鍵ユニット５０Ａの共通取付け部５３を載置して、第３鍵ユニット５０Ａを第１鍵ユニット３０Ａに組付ける。この場合、共通取付け部３３の凸部３３ｂを共通取付け部５３の凹部５３ａに勘合させるとともに、共通取付け部５３の突起５３ｃを共通取付け部３３の貫通孔３３ｄ２に圧入する。
【００４６】
次に、第１鍵ユニット３０Ａに組付けられた第２鍵ユニット４０Ａの共通取付け部４３上に第４鍵ユニット６０Ａの共通取付け部６３を載置して、第４鍵ユニット６０Ａを第２鍵ユニット４０Ａに組付ける。この場合、共通取付け部４３の凸部４３ｂを共通取付け部６３の凹部６３ａに勘合させるとともに、共通取付け部６３の突起６３ｃを共通取付け部４３の貫通孔４３ｄに圧入する。また、第１鍵ユニット３０Ａ上に組付けられた第３鍵ユニット５０Ａの共通取付け部５３上に第５鍵ユニット７０Ａの共通取付け部７３を載置して、第５鍵ユニット７０Ａを第３鍵ユニット５０Ａに組付ける。この場合、共通取付け部５３の凸部５３ｂを共通取付け部７３の凹部７３ａに勘合させるとともに、共通取付け部７３の突起７３ｃを共通取付け部５３の貫通孔５３ｄに圧入する。これにより、第１乃至第５鍵ユニット３０Ａ，４０Ａ，５０Ａ、６０Ａ，７０Ａからなる鍵盤ユニットが完成する（図１２の最下部参照）。
【００４７】
次に、鍵フレーム１０の支持部１１に電気回路基板２０の前端部に設けた貫通孔を合わせて、電気回路基板２０を支持部１１，１２上に載置する。そして、図示しない雄ねじを、電気回路基板２０の上面から支持部１１に設けたねじ孔に侵入させるとともに螺合させて、電気回路基板２０を鍵フレーム１０に組付ける。なお、緩衝材１４，２２に関しては、鍵フレーム１０の下限ストッパ部１３及び電気回路基板２０の前端部の下面に事前にそれぞれ固着されている。
【００４８】
次に、第１乃至第５鍵ユニット３０Ａ，４０Ａ，５０Ａ，６０Ａ，７０Ａからなる鍵盤ユニットを、電気回路基板２０に組付ける。この場合、白鍵３１，４１，５１及び黒鍵６１，７１の係合片３１ａ，４１ａ，５１ａ，６１ａ，７１ａの突出部３１ａ１，４１ａ１，５１ａ１，６１ａ１，７１ａ１を電気回路基板２０の前端部の下面にそれぞれ係合させながら、第１鍵ユニット３０Ａの突出片３３ｆを電気回路基板２０に設けた図示しない貫通孔に貫通させるとともに、第１鍵ユニット３０Ａの共通取付け部３３を電気回路基板２０の後端部上に載置し、第４及び第５鍵ユニット６０Ａのフック部６３ｆ，７３ｆの係止用爪を電気回路基板２０の後端部の下面に係合させる。また、これと同時に、共通取付け部３３の突起３３ｃを電気回路基板２０に設けた図示しない貫通孔に圧入する。この状態では、第１乃至第５鍵ユニット３０Ａ，４０Ａ，５０Ａ，６０Ａ，７０Ａの共通取付け部３３，４３，５３，６３，７３に設けた貫通孔３３ｅ，４３ｅ，５３ｅ，６３ｅ，７３ｅ及び電気回路基板２０に設けた図示しない貫通孔は、鍵フレーム１０の支持部１２に設けたねじ孔にほぼ対向している。そして、図示しない雄ねじを、貫通孔３３ｅ，４３ｅ，５３ｅ，６３ｅ，７３ｅ及び電気回路基板２０の貫通孔に上方から貫通させて、支持部１２に設けたねじ孔に侵入させるとともに螺合させる。
【００４９】
次に、上カバー１５を鍵フレーム１０の図示しない接合部に接続して、第４及び第５鍵ユニット６０Ａ，７０Ａの後部を覆う。これにより、第１乃至第５鍵ユニット３０Ａ，４０Ａ，５０Ａ，６０Ａ，７０Ａからなる鍵盤ユニットは、鍵フレーム１０及び電気回路基板２０上に組み付けられ、鍵盤装置が完成する。この状態では、上カバー１５の前面は、第４及び第５鍵ユニット６０Ａ，７０Ａのヒンジ厚肉部５２ａの前部分及び突出部６２ｄ，６２ｅ，７２ｄ，７２ｅの上方に位置し、上カバー１５の前面と白鍵３１，４１，５１及び黒鍵６１，７１の後端面との間には僅かな隙間が設けられる。
【００５０】
このようにして完成された鍵盤装置においては、演奏者が白鍵３１，４１，５１及び黒鍵６１，７１を押鍵操作すると、白鍵３１，４１，５１及び黒鍵６１，７１はヒンジ薄肉部３２ｂ，３２ｃ，４２ｂ，４２ｃ，５２ｂ，５２ｃ，６２ｂ，６２ｃ，７２ｂ，７２ｃの弾性変形により、共通取付け部３３，４３，５３，６３，７３を中心として揺動して、それらの前端を下方へ変位させる。そして、白鍵３１，４１，５１及び黒鍵６１，７１の係合片３１ａ，４１ａ，５１ａ，６１ａ，７１ａの下面が緩衝材１４の上面に当接すると、白鍵３１，４１，５１及び黒鍵６１、７１の揺動は停止される。一方、前記押鍵された白鍵３１，４１，５１及び黒鍵６１，７１が離鍵されると、白鍵３１，４１，５１及び黒鍵６１，７１は、ヒンジ薄肉部３２ｂ，３２ｃ，４２ｂ，４２ｃ，５２ｂ，５２ｃ，６２ｂ，６２ｃ，７２ｂ，７２ｃ及び鍵スイッチ２１の復元力により、それらの前端を上方へ変位させる。そして、白鍵３１，４１，５１及び黒鍵６１，７１の係合片３１ａ，４１ａ，５１ａ，６１ａ，７１ａの突出部３１ａ１，４１ａ１，５１ａ１，６１ａ１，７１ａ１の上面が緩衝材２２の下面に当接すると、白鍵３１，４１，５１及び黒鍵６１，７１は元の位置（離鍵状態）に復帰する。
【００５１】
このような白鍵３１，４１，５１及び黒鍵６１の押離鍵操作により、押圧部３１ｂ，４１ｂ，５１ｂ，６１ｂ，７１ｂが電気回路基板２０上に設けた鍵スイッチ２１をオン・オフさせる。この鍵スイッチ２１のオン・オフにより、押離鍵操作された白鍵３１，４１，５１及び黒鍵６１，７１に対応した楽音信号の発生が制御される。
【００５２】
上記のように構成されるとともに動作する第１実施形態に係る鍵盤装置においては、長尺白鍵ユニットである第１鍵ユニット３０Ａと、短尺白鍵ユニットである第２及び第３鍵ユニット４０Ａ，５０Ａ及び黒鍵ユニットである第４及び第５鍵ユニット６０Ａ，７０Ａは、樹脂材料で一体成型されている。したがって、組付け誤差及び温度変化による第２乃至第５鍵ユニット４０Ａ，５０Ａ，６０Ａ，７０Ａ間の隙間の差は小さい。そして、第２乃至第５鍵ユニット４０Ａ，５０Ａ，６０Ａ，７０Ａは第１鍵ユニット３０Ａとの組み付けにより位置決めされるので、第２乃至第５鍵ユニット４０Ａ，５０Ａ，６０Ａ，７０Ａ間の隙間を小さく保つことができる。また、２オクターブに渡る７つの白鍵３１を有する第１鍵ユニット３０Ａは長く、かつ１オクターブに渡る３つ及び４つの白鍵４１，５１をそれぞれ有する短尺の第２及び第３鍵ユニット４０Ａ，５０Ａ、並びに１オクターブに渡る５つの黒鍵６１，７１をそれぞれ有する短尺の第４及び第５鍵ユニット６０Ａ，７０Ａは、長い第１鍵ユニット３０Ａで連結されている。したがって、第２乃至第５鍵ユニット４０Ａ，５０Ａ，６０Ａ，７０Ａは支持部材である電気回路基板２０の反りの影響を受け難く、第２乃至第５鍵ユニット４０Ａ，５０Ａ，６０Ａ，７０Ａ間の隙間の横幅は前後位置で大きく異なることはない。その結果、上記第１実施形態によれば、鍵盤装置の外観が良好となる。
【００５３】
また、第２乃至第５鍵ユニット４０Ａ，５０Ａ，６０Ａ，７０Ａの位置決め部である突起４３ｃ，５３ｃ，６３ｃ，７３ｃ及び第１乃至第３鍵ユニット３０Ａ，４０Ａ，５０Ａの貫通孔３３ｄ１，３３ｄ２，４３ｄ，５３ｄと、共通取付け部３３，４３，５３，６３，７３の左右端までの公差を小さくすることができるので、全ての鍵ユニットを上記第１実施形態の第１鍵ユニット３０Ａと同じ幅に構成した場合と比較すると、積層された第１乃至第５鍵ユニット３０Ａ，４０Ａ，５０Ａ，６０Ａ，７０Ａの左右両端の位置も合わせ易くなる。さらには、複数の短尺の鍵ユニットである第２乃至第５鍵ユニット４０Ａ，５０Ａ，６０Ａ，７０Ａを用いることにより、第１乃至第５鍵ユニット３０Ａ，４０Ａ，５０Ａ，６０Ａ，７０Ａの組み付け作業が簡単になる。
【００５４】
また、上記第１実施形態においては、第１鍵ユニット３０Ａが、Ｃ音、Ｅ音、Ｇ音、Ｂ音、Ｄ音、Ｆ音及びＡ音に対応した白鍵３１をこの順に含み、第２鍵ユニット４０Ａが、Ｄ音、Ｆ音及びＡ音に対応した白鍵４１をこの順に含み、かつ第３鍵ユニット５０Ａが、Ｃ音、Ｅ音、Ｇ音及びＢ音に対応した白鍵５１をこの順に含む。したがって、第１乃至第３鍵ユニット３０Ａ，４０Ａ，５０Ａは、隣合う２つの白鍵を含むことなく、隣合う２つの白鍵のうちの一方のみを含むので、全ての白鍵３１，４１，５１間における金型の壁を厚くできて、第１乃至第３鍵ユニット３０Ａ，４０Ａ，５０Ａを成型するための金型の耐久性を向上させることができる。また、第２及び第３鍵ユニット４０Ａ，５０Ａに含まれる白鍵４１，５１の音高はそれぞれ異なり、第１乃至第３鍵ユニット３０Ａ，４０Ａ，５０Ａは全ての音名の白鍵を含むので、全ての白鍵を上下２層で構成できる。さらに、黒鍵ユニットである第４及び第５鍵ユニット６０Ａ，７０Ａを加えて、鍵盤装置を３層の鍵ユニットで構成できる。また、第４及び第５鍵ユニット６０Ａ，７０Ａは同一の構成であるので、１種類の金型を用いて、第４及び第５鍵ユニット６０Ａ，７０Ａを成型できる。したがって、金型の数を減らすことができるとともに、鍵盤装置の組み立ても簡単になり、鍵盤装置の生産性が向上する。
【００５５】
ａ１．第１変形例
次に、上記第１実施形態の第１変形例に係る鍵盤装置について図面を用いて説明する。図１３は、この第１変形例に係る鍵盤装置の鍵ユニットの概略平面図である。
【００５６】
この第１変形例に係る鍵盤装置は、樹脂でそれぞれ一体成型した第１乃至第５鍵ユニット３０Ｂ，４０Ｂ，５０Ｂ，６０Ｂ，７０Ｂを備えている。第１鍵ユニット３０Ｂは、音名Ｄ，Ｆ，Ａ，Ｃ，Ｅ，Ｇ，Ｂにそれぞれ対応して互いに隣接していない７つの白鍵３１を有する。第２鍵ユニット４０Ｂは、音名Ｃ，Ｅ，Ｇ，Ｂにそれぞれ対応して互いに隣接していない４つの白鍵４１を有する。第３鍵ユニット５０Ｂは、音名Ｄ，Ｆ，Ａにそれぞれ対応して互いに隣接していない３つの白鍵５１を有する。第４及び第５鍵ユニット６０Ｂ，７０Ｂは、音名Ｃ＃，Ｄ＃，Ｆ＃，Ｇ＃，Ａ＃にそれぞれ対応して互いに隣接していない５つの黒鍵６１，７１をそれぞれ有する。
【００５７】
なお、第１乃至第５鍵ユニット３０Ｂ，４０Ｂ，５０Ｂ，６０Ｂ，７０Ｂの他の構成に関しては、上記第１実施形態の第１乃至第５鍵ユニット３０Ａ，４０Ａ，５０Ａ，６０Ａ，７０Ａと同じであり、鍵盤ユニットの組み立ても上記第１実施形態と同じである。また、鍵盤装置の他の構成、組み立て及び動作に関しても、上記第１実施形態と同じである。したがって、上記第１実施形態と同一の符号を付して、それらの説明を省略する。
【００５８】
上記のように構成された第１変形例に係る鍵盤装置においては、第１乃至第３鍵ユニット３０Ｂ，４０Ｂ，５０Ｂに属する白鍵の音名が上記第１実施形態の場合とは異なるのみで、他の構成は上記第１実施形態と同じである。そして、この第１変形例においても、第１乃至第３鍵ユニット３０Ｂ，４０Ｂ，５０Ｂは、隣合う２つの白鍵を含むことなく、隣合う２つの白鍵のうちの一方のみを含む。したがって、この第１変形例に係る鍵盤装置においても、上記第１実施形態と同様な効果が期待される。
【００５９】
ａ２．第２変形例
次に、上記第１実施形態の第２変形例に係る鍵盤装置について図面を用いて説明する。図１４は、この第２変形例に係る鍵盤装置の鍵ユニットの概略平面図である。
【００６０】
この第２変形例に係る鍵盤装置は、樹脂でそれぞれ一体成型した第１乃至第５鍵ユニット３０Ｃ，４０Ｃ，５０Ｃ，６０Ｃ，７０Ｃを備えている。第１鍵ユニット３０Ｃは、音名Ｄ，Ｆ，Ａ，Ｄ，Ｆ，Ａにそれぞれ対応して互いに隣接していない６つの白鍵３１を有する。第２鍵ユニット４０Ｃは、音名Ｃ，Ｅ，Ｇ，Ｂにそれぞれ対応して互いに隣接していない４つの白鍵４１を有する。第３鍵ユニット５０Ｃも、音名Ｃ，Ｅ，Ｇ，Ｂにそれぞれ対応して互いに隣接していない４つの白鍵５１を有する。第４及び第５鍵ユニット６０Ｃ，７０Ｃは、音名Ｃ＃，Ｄ＃，Ｆ＃，Ｇ＃，Ａ＃にそれぞれ対応して互いに隣接していない５つの黒鍵６１，７１をそれぞれ有する。
【００６１】
なお、第１乃至第５鍵ユニット３０Ｃ，４０Ｃ，５０Ｃ，６０Ｃ，７０Ｃの他の構成に関しては、上記第１実施形態の第１乃至第５鍵ユニット３０Ａ，４０Ａ，５０Ａ，６０Ａ，７０Ａと同じであり、鍵盤ユニットの組み立ても上記第１実施形態と同じである。また、鍵盤装置の他の構成、組み立て及び動作に関しても、上記第１実施形態と同じである。したがって、上記第１実施形態と同一の符号を付して、それらの説明を省略する。
【００６２】
上記のように構成された第２変形例に係る鍵盤装置においては、第１乃至第３鍵ユニット３０Ｃ，４０Ｃ，５０Ｃに属する白鍵の音名が上記第１実施形態の場合とは異なるのみで、他の構成は上記第１実施形態と同じである。そして、この第２変形例においても、第１乃至第３鍵ユニット３０Ｃ，４０Ｃ，５０Ｃは、隣合う２つの白鍵を含むことなく、隣合う２つの白鍵のうちの一方のみを含む。したがって、この第２変形例に係る鍵盤装置においても、上記第１実施形態と同様な効果が期待される。
【００６３】
また、この第２変形例においては、第２及び第３鍵ユニット４０Ｃ，５０Ｃは、共に同じ音名Ｃ，Ｅ，Ｇ，Ｂの白鍵４１，５１を含み、同一の構成である。したがって、この第２変形例によれば、１種類の金型を用いて第２及び第３鍵ユニット４０Ｃ，５０Ｃを成型することができ、上記第１実施形態及び第１変形例の場合よりも生産効率を向上させることができる。
【００６４】
ｂ．第２実施形態
上記第１実施形態では、第１鍵ユニット３０Ａを下層とし、第２及び第３鍵ユニット４０Ａ，５０Ａを中間層とし、かつ第４及び第５鍵ユニット６０Ａ，７０Ａを上層として、鍵盤ユニットを３層で構成した。しかし、これに代えて、前記中間層をさらに２層に分けて、鍵盤ユニットを４層の積層構造にしてもよい。本発明の第２実施形態に係る鍵盤装置はこの４層の積層構造を採用しており、図１５はこの第２実施形態に係る鍵盤装置の鍵ユニットの概略平面図である。
【００６５】
この第２実施形態に係る鍵盤装置は、樹脂でそれぞれ一体成型した第１乃至第７鍵ユニット３０Ｄ，４０Ｄ，５０Ｄ，６０Ｄ，７０Ｄ，４０Ｄ’，５０Ｄ’を備えている。第１鍵ユニット３０Ｄは最下層（第１層）であり、第４及び第５ユニット６０Ｄ，７０Ｄは最上層（第４層）である。そして、最下層と最上層との間に、第２及び第３鍵ユニット４０Ｄ，５０Ｄが第２層として設けられているとともに、第６及び第７鍵ユニット４０Ｄ’，５０Ｄ’が第３層として設けられている。
【００６６】
第１鍵ユニット３０Ｄは、音名Ｃ，Ｆ，Ｂ，Ｃ，Ｆ，Ｂにそれぞれ対応した６つの白鍵３１を有する。第２及び第３鍵ユニット４０Ｄ，５０Ｄは、同一に構成され、音名Ｄ，Ｇにそれぞれ対応した２つの白鍵４１，５１をそれぞれ有する。第４及び第５鍵ユニット６０Ｄ，７０Ｄも、同一に構成され、音名Ｃ＃，Ｄ＃，Ｆ＃，Ｇ＃，Ａ＃にそれぞれ対応した５つの黒鍵６１，７１をそれぞれ有する。第６及び第７鍵ユニット４０Ｄ’，５０Ｄ’も、同一に構成され、音名Ｅ，Ａにそれぞれ対応した２つの白鍵４１’，５１’をそれぞれ有する。第１乃至第５鍵ユニット３０Ｄ，４０Ｄ，５０Ｄ，６０Ｄ，７０Ｄは、それらに属する白鍵の音名が異なるだけで、他の構成は上記第１実施形態の第１乃至第５鍵ユニット３０Ａ，４０Ａ，５０Ａ，６０Ａ，７０Ａと同様であるので、上記第１実施形態と同一符号を付してその説明を省略する。ただし、第２及び第３鍵ユニット４０Ｄ，５０Ｄの共通取付け部４３，５３に設けた貫通孔４３ｄ，５３ｄの位置は、後述する第６及び第７鍵ユニット４０Ｄ’，５０Ｄ’の突起４３ｃ’，５３ｃ’に対向した位置である。
【００６７】
第６及び第７鍵ユニット４０Ｄ’，５０Ｄ’も、第２及び第３鍵ユニット４０Ｄ，５０Ｄとほぼ同様に構成された鍵４１’，５１’、ヒンジ部４２’，５２’及び共通取付け部４３’，５３’を備えている。ただし、共通取付け部４３’，５３’は、第２及び第３鍵ユニット４０Ｄ，５０Ｄの共通取付け部４３，５３と第４及び第５鍵ユニット６０Ｄ，７０Ｄの共通取付け部６３，７３の間に位置する高さに設定されている。また、共通取付け部４３’，５３’には、突起４３ｃ，５３ｃと同様な突起４３ｃ’，５３ｃ’がそれぞれ設けられており、突起４３ｃ’，５３ｃ’は第２及び第３鍵ユニット４０Ｄ，５０Ｄの貫通孔４３ｄ，５３ｄに対向して位置する。また、共通取付け部４３’，５３’には、貫通孔４３ｄ，５３ｄと同様な貫通孔４３ｄ’，５３ｄ’が設けられており、貫通孔４３ｄ’，５３ｄ’は第４及び第５鍵ユニット４０Ｄ，５０Ｄの突起６３ｃ，７３ｃに対向して位置する。
【００６８】
次に、この第２実施形態に係る鍵盤ユニットの組立てについて説明する。まず、上記第１実施形態と同様に、第１鍵ユニット３０Ｄの共通取付け部３３の左側上面及び右側上面に第２及び第３鍵ユニット４０Ｄ，５０Ｄの共通取付け部４３，５３をそれぞれ載置して、第２及び第３鍵ユニット４０Ｄ，５０Ｄを第１鍵ユニット３０Ｄにそれぞれ組付ける。この場合も、共通取付け部３３の図示省略した凸部３３ｂを共通取付け部４３，５３の図示省略した凹部４３ａ，５３ａにそれぞれ勘合させるとともに、共通取付け部４３，５３の突起４３ｃ，５３ｃを共通取付け部３３の貫通孔３３ｄ１，３３ｄ２にそれぞれ圧入する。次に、第１鍵ユニット３０Ｄに組付けられた第２及び第３鍵ユニット４０Ｄ，５０Ｄの共通取付け部４３，５３上に第６及び第７鍵ユニット４０Ｄ’，５０Ｄ’の共通取付け部４３’，５３’をそれぞれ載置して、第６及び第７鍵ユニット４０Ｄ’，５０Ｄ’を第２及び第３鍵ユニット４０Ｄ，５０Ｄにそれぞれ組付ける。この場合、共通取付け部４３，５３の図示省略した凸部４３ｂ，５３ｂを共通取付け部４３’，５３’の図示省略した凹部４３ａ’，５３ａ’にそれぞれ勘合させるとともに、共通取付け部４３’，５３’の突起４３ｃ’，５３ｃ’を共通取付け部４３，５３の貫通孔４３ｄ，５３ｄにそれぞれ圧入する。
【００６９】
次に、第２及び第３鍵ユニット４０Ｄ,５０Ｄに組付けられた第６及び第７鍵ユニット４０Ｄ’，５０Ｄ’の共通取付け部４３’，５３’上に第４及び第５鍵ユニット６０Ｄ，７０Ｄの共通取付け部６３，７３をそれぞれ載置して、第４及び第５鍵ユニット６０Ｄ，７０Ｄを第６及び第７鍵ユニット４０Ｄ’，５０Ｄ’にそれぞれ組付ける。この場合、共通取付け部４３’，５３’の図示省略した凸部４３ｂ’，５３ｂ’を共通取付け部６３，７３の図示省略した凹部６３ａ，７３ａにそれぞれ勘合させるとともに、共通取付け部６３，７３の突起６３ｃ，７３ｃを共通取付け部４３’，５３’の貫通孔４３ｄ’，５３ｄ’にそれぞれ圧入する。これにより、第１乃至第７鍵ユニット３０Ｄ，４０Ｄ，５０Ｄ、６０Ｄ，７０Ｄ，４０Ｄ’，５０Ｄ’からなる鍵盤ユニットが完成する（図１５の最下部参照）。鍵盤装置の他の組立て作業及び動作は、上記第１実施形態と同じであるので、それらの説明を省略する。
【００７０】
このように構成された第２実施形態に係る鍵盤装置においても、長尺白鍵ユニットである第１鍵ユニット３０Ｄと、短尺白鍵ユニットである第２、第３、第６及び第７鍵ユニット４０Ｄ，５０Ｄ，４０Ｄ’，５０Ｄ’、並びに黒鍵ユニットである第４及び第５鍵ユニット６０Ｄ，７０Ｄは、樹脂材料で一体成型されている。したがって、組付け誤差及び温度変化による第２乃至第７鍵ユニット４０Ｄ，５０Ｄ，６０Ｄ，７０Ｄ，４０Ｄ’，５０Ｄ’間の隙間の差は小さい。そして、第２乃至第７鍵ユニット４０Ｄ，５０Ｄ，６０Ｄ，７０Ｄ，４０Ｄ’，５０Ｄ’は第１鍵ユニット３０Ｄとの組み付けにより位置決めされるので、第２乃至第７鍵ユニット４０Ｄ，５０Ｄ，６０Ｄ，７０Ｄ，４０Ｄ’，５０Ｄ’間の隙間を小さく保つことができる。また、２オクターブに渡る６つの白鍵３１を有する第１鍵ユニット３０Ｄは長く、かつ１オクターブに渡る２つの白鍵４１，５１，４１’，５１’をそれぞれ有する短尺の第２、第３、第６及び第７鍵ユニット４０Ｄ，５０Ｄ，４０Ｄ’，５０Ｄ’、並びに１オクターブに渡る５つの黒鍵６１，７１をそれぞれ有する短尺の第４乃至第５鍵ユニット６０Ｄ，７０Ｄは、長い第１鍵ユニット３０Ｄで連結されている。したがって、第２乃至第７鍵ユニット４０Ｄ，５０Ｄ，６０Ｄ，７０Ｄ，４０Ｄ’，５０Ｄ’は支持部材である電気回路基板２０の反りの影響を受け難く、第２乃至第７鍵ユニット４０Ｄ，５０Ｄ，６０Ｄ，７０Ｄ，４０Ｄ’，５０Ｄ’間の隙間の横幅は前後位置で大きく異なることはない。その結果、この第２実施形態によれば、上記第１実施形態の場合と同様に、鍵盤装置の外観が良好となる。
【００７１】
また、第２乃至第７鍵ユニット４０Ｄ，５０Ｄ，６０Ｄ，７０Ｄ，４０Ｄ’，５０Ｄ’の位置決め部である突起４３ｃ，５３ｃ，６３ｃ，７３ｃ，４３ｃ’，５３ｃ’及び第１、第２、第３、第６及び第７鍵ユニット３０Ｄ，４０Ｄ，５０Ｄ，４０Ｄ’，５０Ｄ’の貫通孔３３ｄ１，３３ｄ２，４３ｄ，５３ｄ，４３ｄ’，５３ｄ’と、共通取付け部３３，４３，５３，６３，７３，４３’，５３’の左右端までの公差を小さくすることができるので、全ての鍵ユニットを第１鍵ユニット３０Ｄと同じ幅に構成した場合と比較すると、上記第１実施形態の場合と同様に、積層された第１乃至第７鍵ユニット３０Ｄ，４０Ｄ，５０Ｄ，６０Ｄ，７０Ｄ，４０Ｄ’，５０Ｄ’の左右両端の位置も合わせ易くなる。さらには、複数の短尺の鍵ユニットである第２乃至第７鍵ユニット４０Ｄ，５０Ｄ，６０Ｄ，７０Ｄ，４０Ｄ’，５０Ｄ’を用いることにより、第１乃至第７鍵ユニット３０Ｄ，４０Ｄ，５０Ｄ，６０Ｄ，７０Ｄ，４０Ｄ’，５０Ｄ’の組み付け作業が簡単になる。
【００７２】
また、この第２実施形態においても、第４及び第５鍵ユニット６０Ｄ，７０Ｄの構成は、上記第１実施形態の場合と同じである。さらに、この第２実施形態においては、第２及び第３鍵ユニット４０Ｄ，５０Ｄも、共に音名Ｄ，Ｇ音に対応した白鍵４１，５１を含み、同一の構成である。また、第６及び第７鍵ユニット４０Ｄ’，５０Ｄ’も、共に音名Ｅ，Ａに対応した白鍵４１’，５１’を含み、同一の構成である。したがって、この第２実施形態によれば、３種類の金型を用いて、第２乃至第７鍵ユニット４０Ｄ，５０Ｄ，６０Ｄ，７０Ｄ，４０Ｄ’，５０Ｄ’を成型でき、生産効率を向上させることができる。
【００７３】
ｂ１．第１変形例
次に、上記第２実施形態の第１変形例に係る鍵盤装置について図面を用いて説明する。図１６は、この第１変形例に係る鍵盤装置の鍵ユニットの概略平面図である。
【００７４】
この第１変形例に係る鍵盤装置は、樹脂でそれぞれ一体成型した第１乃至第７鍵ユニット３０Ｅ，４０Ｅ，５０Ｅ，６０Ｅ，７０Ｅ，４０Ｅ’，５０Ｅ’を備えている。第１鍵ユニット３０Ｅは、音名Ｃ，Ｆ，Ｂ，Ｅ，Ａにそれぞれ対応した５つの白鍵３１を有する。第２鍵ユニット４０Ｅは、音名Ｄ，Ｇにそれぞれ対応した２つの白鍵４１を有する。第３鍵ユニット５０Ｅは、音名Ｃ，Ｆ，Ｂにそれぞれ対応した３つの白鍵５１を有する。第４及び第５鍵ユニット６０Ｅ，７０Ｅは、音名Ｃ＃，Ｄ＃，Ｆ＃，Ｇ＃，Ａ＃にそれぞれ対応した５つの黒鍵６１，７１をそれぞれ有する。第６鍵ユニット４０Ｅ’は、音名Ｅ，Ａに対応した２つの白鍵４１’を有する。第７鍵ユニット５０Ｅ’は、音名Ｄ，Ｇにそれぞれ対応した２つの白鍵５１’をそれぞれ有する。
【００７５】
なお、第１乃至第７鍵ユニット３０Ｅ，４０Ｅ，５０Ｅ，６０Ｅ，７０Ｅ，４０Ｅ’，５０Ｅ’の他の構成に関しては、上記第２実施形態の第１乃至第７鍵ユニット３０Ｄ，４０Ｄ，５０Ｄ，６０Ｄ，７０Ｄ，４０Ｄ’，５０Ｄ’と同じであり、鍵盤ユニットの組立ても上記第２実施形態の場合と同じである。また、鍵盤装置の他の構成、組み立て及び動作に関しても、上記第２実施形態と同じである。したがって、上記第２実施形態と同一の符号を付して、それらの説明を省略する。
【００７６】
このように構成された第１変形例に係る鍵盤装置においては、第１、第２、第３、第６及び第７鍵ユニット３０Ｅ，４０Ｅ，５０Ｅ，４０Ｅ’，５０Ｅ’に属する白鍵の音名が異なるのみで、他の構成は上記第２実施形態と同じである。したがって、この第１変形例に係る鍵盤装置においても、上記第２実施形態と同様な効果が期待される。
【００７７】
また、この第１変形例においては、第１、第２、第３、第６及び第７鍵ユニット３０Ｅ，４０Ｅ，５０Ｅ，４０Ｅ’，５０Ｅ’は、上記第２実施形態における第１鍵ユニット３０Ｄの音名Ｂ，Ｃに対応した隣合う２つの白鍵を含むことなく、隣合う２つの白鍵のうちの一方のみを含む。したがって、この第１変形例によれば、第１、第２、第３、第６及び第７鍵ユニット３０Ｅ，４０Ｅ，５０Ｅ，４０Ｅ’，５０Ｅ’の全ての白鍵３１，４１，５１，４１’，５１’間における金型の壁を厚くできて、上記第２実施形態に比べて、第１鍵ユニット３０Ｅを成型するための金型の耐久性を向上させることができる。
【００７８】
ｃ．第３実施形態
次に、最高音であるＣ音に対応した白鍵を第１鍵ユニットに含めるようにした第３実施形態に係る鍵盤装置について説明する。図１７は、この第３実施形態に係る鍵盤装置の鍵ユニットの概略平面図である。
【００７９】
この第３実施形態に係る鍵盤装置は、樹脂でそれぞれ一体成型した第１乃至第７鍵ユニット３０Ｆ，４０Ｆ，５０Ｆ，６０Ｆ，７０Ｆ，４０Ｆ’，６０Ｆ’を備えている。第１鍵ユニット３０Ｆは、上記第1実施形態（図１２参照）における第１鍵ユニット３０Ａと同じ音名Ｃ，Ｅ，Ｇ，Ｂ，Ｄ，Ｆ，Ａにそれぞれ対応した７つの白鍵３１に加えて、さらに高音側に音名Ｃ，Ｅ，Ｇ，Ｂ，Ｃにそれぞれ対応した５つの白鍵３１を有する。第１鍵ユニット３０Ｆの共通取付け部３３は、上記第１実施形態の共通取付け部３３を右側に延長して長く構成されている。そして、この延長された共通取付け部３３に、突起３３ｃと同様な突起３３ｃが設けられているとともに、貫通孔３３ｄ１，３３ｄ２と同様な貫通孔３３ｄ３が設けられている。この貫通孔３３ｄ３の位置は、後述する第６鍵ユニット４０Ｆの突起４３ｃ’に対向した位置に設けられている。
【００８０】
第２乃至第５鍵ユニット４０Ｆ，５０Ｆ，６０Ｆ，７０Ｆは、上記第１実施形態（図１２参照）の第２乃至第５鍵ユニット４０Ａ，５０Ａ，６０Ａ，７０Ａと同じである。第６鍵ユニット４０Ｆ’は、第２鍵ユニット４０Ｆと同じに構成された鍵４１’，ヒンジ部４２’及び共通取付け部４３’を備えている。共通取付け部４３’には、第２鍵ユニット４０Ｆの突起４３ｃ及び貫通孔４３ｄと同様な突起４３ｃ’及び貫通孔４３ｄ’が設けられている。第７鍵ユニット６０Ｆ’は、第４鍵ユニット６０Ｆと同じに構成された鍵６１’，ヒンジ部６２’及び共通取付け部６３’を備えている。共通取付け部６３’には、第４鍵ユニット６０Ｆの突起６３ｃと同様な突起６３ｃ’が設けられている。そして、第６及び第７鍵ユニット４０Ｆ’，６０Ｆ’は、第３及び第５鍵ユニット５０Ｆ，７０Ｆの高音側にそれぞれ設けられている。他の構成は、上記第１実施形態と同じであるので、上記第１実施形態と同一の符号を付して、それらの説明を省略する。
【００８１】
次に、この第３実施形態に係る鍵盤ユニットの組立てについて説明する。まず、上記第１実施形態と同様に、第１鍵ユニット３０Ｆの共通取付け部３３の左側上面、中央上面及び右側上面に、第２、第３及び第６鍵ユニット４０Ｆ，５０Ｆ，４０Ｆ’の共通取付け部４３，５３，４３’をそれぞれ載置して、第２、第３及び第６鍵ユニット４０Ｆ，５０Ｆ，４０Ｆ’を第１鍵ユニット３０Ｆにそれぞれ組付ける。この場合も、共通取付け部３３の図示省略した凸部３３ｂを共通取付け部４３，５３，４３’の図示省略した凹部４３ａ，５３ａ，４３ａ’にそれぞれ勘合させるとともに、共通取付け部４３，５３，４３’の突起４３ｃ，５３ｃ，４３ｃ’を共通取付け部３３の貫通孔３３ｄ１，３３ｄ２，３３ｄ３にそれぞれ圧入する。
【００８２】
そして、第１鍵ユニット３０Ｆに組付けられた第２、第３及び第６鍵ユニット４０Ｆ，５０Ｆ，４０Ｆ’の共通取付け部４３，５３，４３’に上面に、第４、第５及び第７鍵ユニット６０Ｆ，７０Ｆ，６０Ｆ’の共通取付け部６３，７３，６３’をそれぞれ載置して、第４、第５及び第７鍵ユニット６０Ｆ，７０Ｆ，６０Ｆ’を第２、第３及び第６鍵ユニット４０Ｆ，５０Ｆ，４０Ｆ’にそれぞれ組付ける。この場合も、共通取付け部４３，５３，４３’の図示省略した凸部４３ｂ，５３ｂ，４３ｂ’を共通取付け部６３，７３，６３’の図示省略した凹部６３ａ，７３ａ，６３ａ’にそれぞれ勘合させるとともに、共通取付け部６３，７３，６３’の突起６３ｃ，７３ｃ，６３ｃ’を共通取付け部４３，５３，４３’の貫通孔４３ｄ，５３ｄ，４３ｄ’にそれぞれ圧入する。これにより、第１乃至第７鍵ユニット３０Ｆ，４０Ｆ，５０Ｆ、６０Ｆ，７０Ｆ，４０Ｆ’，６０Ｆ’からなる鍵盤ユニットが完成する（図１７の最下部参照）。鍵盤装置の他の構成、組立て作業及び動作は、上記第１実施形態と同じであるので、それらの説明を省略する。
【００８３】
このように構成された第３実施形態に係る鍵盤装置においても、長尺白鍵ユニットである第１鍵ユニット３０Ｆと、短尺白鍵ユニットである第２、第３及び第６鍵ユニット４０Ｆ，５０Ｆ，４０Ｆ’、並びに黒鍵ユニットである第４、第５及び第７鍵ユニット６０Ｆ，７０Ｆ，６０Ｆ’は、樹脂材料で一体成型されている。したがって、組付け誤差及び温度変化による第２乃至第７鍵ユニット４０Ｆ，５０Ｆ，６０Ｆ，７０Ｆ，４０Ｆ’，６０Ｆ’間の隙間の差は小さい。そして、第２乃至第７鍵ユニット４０Ｆ，５０Ｆ，６０Ｆ，７０Ｆ，４０Ｆ’，６０Ｆ’は第１鍵ユニット３０Ｆとの組み付けにより位置決めされるので、第２乃至第７鍵ユニット４０Ｆ，５０Ｆ，６０Ｆ，７０Ｆ，４０Ｆ’，６０Ｆ’間の隙間を小さく保つことができる。また、３オクターブを超える１２個の白鍵３１を有する第１鍵ユニット３０Ｆは長く、かつ１オクターブに渡る３つの白鍵４１，４１’をそれぞれ有する短尺の第２及び第６鍵ユニット４０Ｆ，４０Ｆ’、１オクターブに渡る４つの白鍵５１を有する短尺の第３鍵ユニット５０Ｆ、並びに１オクターブに渡る５つの黒鍵６１，７１，６１’をそれぞれ有する短尺の第４、第５及び第７鍵ユニット６０Ｆ，７０Ｆ，６０Ｆ’は、長い第１鍵ユニット３０Ｆで連結されている。したがって、第２乃至第７鍵ユニット４０Ｆ，５０Ｆ，６０Ｆ，７０Ｆ，４０Ｆ’，６０Ｆ’は支持部材である電気回路基板２０の反りの影響を受け難く、第２乃至第７鍵ユニット４０Ｆ，５０Ｆ，６０Ｆ，７０Ｆ，４０Ｆ’，６０Ｆ’間の隙間の横幅は前後位置で大きく異なることはない。その結果、この第３実施形態によっても、上記第１実施形態の場合と同様に、鍵盤装置の外観が良好となる。
【００８４】
また、第２乃至第７鍵ユニット４０Ｆ，５０Ｆ，６０Ｆ，７０Ｆ，４０Ｆ’，６０Ｆ’の位置決め部である突起４３ｃ，５３ｃ，６３ｃ，７３ｃ，４３ｃ’，６３ｃ’、及び第１、第２、第３及び第６鍵ユニット３０Ｆ，４０Ｆ，５０Ｆ，４０Ｆ’の貫通孔３３ｄ１，３３ｄ２，３３ｄ３，４３ｄ，５３ｄ，４３ｄ’と、共通取付け部３３，４３，５３，６３，７３，４３’，６３’の左右端までの公差を小さくすることができるので、全ての鍵ユニットを第１鍵ユニット３０Ｆと同じ幅に構成した場合と比較すると、上記第１実施形態の場合と同様に、積層された第２乃至第７鍵ユニット４０Ｆ，５０Ｆ，６０Ｆ，７０Ｆ，４０Ｆ’，６０Ｆ’の左右両端の位置も合わせ易くなる。さらには、複数の短尺の鍵ユニットである第２乃至第７鍵ユニット４０Ｆ，５０Ｆ，６０Ｆ，７０Ｆ，４０Ｆ’，６０Ｆ’を用いることにより、第１乃至第７鍵ユニット３０Ｆ，４０Ｆ，５０Ｆ，６０Ｆ，７０Ｆ，４０Ｆ’，６０Ｆ’の組み付け作業が簡単になる。
【００８５】
さらに、７６鍵及び８８鍵以外の６１鍵、４９鍵、３７鍵などのピアノ系の鍵盤装置では、通常、最低音及び最高音はＣ音であることが多い。この場合、最高音のＣ音は、その上のＣ＃音が無いために、他のＣ音の鍵とは異なっていて、黒鍵分の切欠きがなく、かつオクターブの繰り返しからはみ出している。したがって、第２、第３及び第６鍵ユニット４０Ｆ，５０Ｆ，４０Ｆ’すなわちオクターブ単位である短尺白鍵ユニットにこの最高音を含めると、最高音であるＣ音を含む短尺白鍵ユニットだけを他のオクターブと作り分ける必要が生じてしまい、生産効率が悪化する。しかし、この第３実施形態のように、長尺白鍵ユニット側に最高音（Ｃ音）の鍵が含まれるようにすると、鍵ユニットの種類を減らすことが可能となり、鍵盤装置の生産効率を向上させることができる。
【００８６】
なお、この第３実施形態においては、金型の種類を減らすために、第６鍵ユニット４０Ｆ’を第２鍵ユニット４０Ｆと同一に構成にするとともに、第７鍵ユニット６０Ｆ’を第４及び第５鍵ユニット６０Ｆ，７０Ｆと同一に構成した。したがって、第１鍵ユニット３０Ｆの右端部が上方から見えるようになるので、前記右端部上に共通取付け部６３，７３と前後方向幅を同じにした目隠し部材を設けるようにするとよい。この点に関しては、後述する第１及び第２変形例においても同様である。
【００８７】
ｃ１．第１変形例
次に、上記第３実施形態の第１変形例に係る鍵盤装置について図面を用いて説明する。図１８は、この第１変形例に係る鍵盤装置の鍵ユニットの概略平面図である。
【００８８】
この第１変形例に係る鍵盤装置は、樹脂でそれぞれ一体成型した第１乃至第７鍵ユニット３０Ｇ，４０Ｇ，５０Ｇ，６０Ｇ，７０Ｇ，４０Ｇ’，６０Ｇ’を備えている。第１鍵ユニット３０Ｂは、上記第1実施形態の第１変形例（図１３参照）における第１鍵ユニット３０Ｂと同じ音名Ｄ，Ｆ，Ａ，Ｃ，Ｅ，Ｇ，Ｂにそれぞれ対応した７つの白鍵３１に加えて、さらに高音側に音名Ｄ，Ｆ，Ａ，Ｃにそれぞれ対応した４つの白鍵３１を有する。第２乃至第５鍵ユニット４０Ｇ，５０Ｇ，６０Ｇ，７０Ｇは、上記第１実施形態の第１変形例の第２乃至第５鍵ユニット４０Ｂ，５０Ｂ，６０Ｂ，７０Ｂと同じである。第６鍵ユニット４０Ｇ’は第２鍵ユニット４０Ｇと同じに構成され、第７鍵ユニット６０Ｇ’は第４鍵ユニット６０Ｇと同じに構成されている。
【００８９】
なお、第１乃至第７鍵ユニット３０Ｇ，４０Ｇ，５０Ｇ，６０Ｇ，７０Ｇ，４０Ｇ’，６０Ｇ’の他の構成に関しては、上記第３実施形態の第１乃至第７鍵ユニット３０Ｆ，４０Ｆ，５０Ｆ，６０Ｆ，７０Ｆ，４０Ｆ’，６０Ｆ’と同じであり、鍵盤ユニットの組み立ても上記第３実施形態の場合と同じである。また、鍵盤装置の他の構成、組み立て及び動作に関しても、上記第３実施形態と同じである。したがって、上記第３実施形態と同一の符号を付して、それらの説明を省略する。
【００９０】
上記のように構成された第１変形例に係る鍵盤装置においては、第１、第２、第３及び第６鍵ユニット３０Ｇ，４０Ｇ，５０Ｇ，４０Ｇ’に属する白鍵の音名が上記第３実施形態の場合とは異なるのみで、他の構成は上記第３実施形態と同じである。したがって、この第１変形例に係る鍵盤装置においても、上記第３実施形態と同様な効果が期待される。また、この第１変形例においては、第１、第２、第３及び第６鍵ユニット３０Ｇ，４０Ｇ，５０Ｇ，４０Ｇ’は、隣合う２つの白鍵を含むことなく、隣合う２つの白鍵のうちの一方のみを含むので、上記第１実施形態、並びにその第１及び第２変形例の場合と同様に、金型の耐久性を向上させることができる。
【００９１】
ｃ２．第２変形例
次に、上記第３実施形態の第２変形例に係る鍵盤装置について図面を用いて説明する。図１９は、この第２変形例に係る鍵盤装置の鍵ユニットの概略平面図である。
【００９２】
この第２変形例に係る鍵盤装置は、樹脂でそれぞれ一体成型した第１乃至第７鍵ユニット３０Ｈ，４０Ｈ，５０Ｈ，６０Ｈ，７０Ｈ，４０Ｈ’，６０Ｈ’を備えている。第１鍵ユニット３０Ｈは、上記第1実施形態の第２変形例（図１４参照）における第１鍵ユニット３０Ｃと同じ音名Ｄ，Ｆ，Ａ，Ｄ，Ｆ，Ａにそれぞれ対応した６つの白鍵３１に加えて、さらに高音側に音名Ｄ，Ｆ，Ａ，Ｃにそれぞれ対応した４つの白鍵３１を有する。第２乃至第５鍵ユニット４０Ｈ，５０Ｈ，６０Ｈ，７０Ｈは、上記第１実施形態の第２変形例の第２乃至第５鍵ユニット４０Ｃ，５０Ｃ，６０Ｃ，７０Ｃと同じである。第６鍵ユニット４０Ｈ’は第２鍵ユニット４０Ｈと同じに構成され、第７鍵ユニット６０Ｈ’は第４鍵ユニット６０Ｈと同じに構成されている。
【００９３】
なお、第１乃至第７鍵ユニット３０Ｈ，４０Ｈ，５０Ｈ，６０Ｈ，７０Ｈ，４０Ｈ’，６０Ｈ’の他の構成に関しては、上記第３実施形態の第１乃至第７鍵ユニット３０Ｆ，４０Ｆ，５０Ｆ，６０Ｆ，７０Ｆ，４０Ｆ’，６０Ｆ’と同じであり、鍵盤ユニットの組立ても上記第３実施形態の場合と同じである。また、鍵盤装置の他の構成、組み立て及び動作に関しても、上記第３実施形態と同じである。したがって、上記第３実施形態と同一の符号を付して、それらの説明を省略する。
【００９４】
上記のように構成された第１変形例に係る鍵盤装置においても、第１、第２、第３及び第６鍵ユニット３０Ｈ，４０Ｈ，５０Ｈ，５０Ｈ’に属する白鍵の音名が上記第３実施形態の場合とは異なるのみで、他の構成は上記第３実施形態と同じである。したがって、この第２変形例に係る鍵盤装置においても、上記第３実施形態と同様な効果が期待される。また、この第２変形例においても、上記第１変形例と同様に、第１、第２、第３及び第６鍵ユニット３０Ｈ，４０Ｈ，５０Ｈ，５０Ｈ’は、隣合う２つの白鍵を含むことなく、隣合う２つの白鍵のうちの一方のみを含むので、上記第１実施形態、並びにその第１及び第２変形例の場合と同様に、金型の耐久性を向上させることができる。
【００９５】
ｄ．その他の変形例
なお、本発明に係る鍵盤装置は、上記第１乃至第３実施形態及びそれらの変形例に限定されるものではなく、適宜変更して実施することが可能である。
【００９６】
上記第３実施形態及びその変形例では、３オクターブに渡る第１鍵ユニット３０Ｆ，３０Ｇ，３０Ｈに最高音の白鍵３１を追加する例について説明した。しかし、この最高音の白鍵３１の追加は、上述した第１及び第２実施形態並びにそれらの変形例にも適用される。ずなわち、図１２乃至図１６に示す２オクターブに渡る第１鍵ユニット３０Ａ〜３０Ｄに前記最高音であるＣ音に対応した白鍵３１を設けるようにしてもよい。
【００９７】
また、上記第１乃至第３実施形態及びそれらの各種変形例では、複数の白鍵３１を有する長尺の第１鍵ユニット３０Ａ〜３０Ｈを下層とし、複数の白鍵４１，５１，４１’，５１’を有する短尺の第２、第３、第６及び第７鍵ユニット４０Ａ〜４０Ｈ，５０Ａ〜５０Ｈ，４０Ｄ’〜４０Ｈ’，５０Ｄ’，５０Ｅ’を中層とし、複数の黒鍵６１，７１，６１’を有する第４、第５及び第７鍵ユニット６０Ａ〜６０Ｈ，７０Ａ〜７０Ｈ，６０Ｆ’〜６０Ｈ ’を上層として、積層構造の鍵盤装置を構成するようにした。しかし、前記下層、中層及び上層の鍵ユニットの上下の組み合わせを変更してもよい。例えば、複数の白鍵３１を有する長尺の第１鍵ユニット３０Ａ〜３０Ｈが、中層又は上層でもよい。第２、第３、第６及び第７鍵ユニット４０Ａ〜４０Ｈ，５０Ａ〜５０Ｈ，４０Ｄ’〜４０Ｈ’，５０Ｄ’，５０Ｅ’が下層又は上層であってよい。第４、第５及び第７鍵ユニット６０Ａ〜６０Ｈ，７０Ａ〜７０Ｈ，６０Ｆ’〜６０Ｈ ’が下層又は中層であってもよい。これによっても、前記下層、中層及び上層の鍵ユニットは一体的に組み立てられて電気回路基板２０に固定されるので、上述した本発明の効果は期待される。
【００９８】
また、上記第１乃至第３実施形態及びそれらの各種変形例では、前記下層、中層及び上層の鍵ユニットを突起４３ｃ，５３ｃ，６３ｃ，７３ｃ，４３ｃ’，５３ｃ’，６３ｃ’と、貫通孔３３ｄ１，３３ｄ２，３３ｄ３，４３ｄ，５３ｄ，４３ｄ’，５３ｄ’との係合により、複数の鍵ユニットからなる鍵盤ユニットを構成するようにした。しかし、先行技術の項で説明したように、鍵ユニット間を、一方の幅方向の端部に設けた凹部に、他方の対向する端部に設けた突起を勘合させて、複数の鍵ユニット間を連結して、複数の鍵ユニットからなる鍵盤ユニットを構成するようにしてもよい。
【符号の説明】
【００９９】
１０…鍵フレーム、１１，１２…支持部、２０…電気回路基板、３０Ａ〜３０Ｈ…第１鍵ユニット、４０Ａ〜４０Ｈ…第２鍵ユニット、５０Ａ〜５０Ｈ…第３鍵ユニット、６０Ａ〜６０Ｈ…第４鍵ユニット、７０Ａ〜７０Ｈ…第５鍵ユニット、４０Ｄ’〜４０Ｈ’…第６鍵ユニット、５０Ｄ’，５０Ｅ’ ，６０Ｆ’〜６０Ｈ’…第７鍵ユニット、３１，４１，５１，４１’，５１’…白鍵、６１，７１，６１’…黒鍵、３３，４３，５３，６３，７３，４３’，５３’，６３’…共通取付け部、３３ｃ，４３ｃ，５３ｃ，６３ｃ，７３ｃ，４３ｃ’，５３ｃ’，６３ｃ’…突起、３３ｄ１，３３ｄ２，３３ｄ３，４３ｄ，５３ｄ，４３ｄ’，５３ｄ’…貫通孔
【図１】
2016170288.tif 000003
【図２】
2016170288.tif 000004
【図３】
2016170288.tif 000005
【図４】
2016170288.tif 000006
【図５】
2016170288.tif 000007
【図６】
2016170288.tif 000008
【図７】
2016170288.tif 000009
【図８】
2016170288.tif 000010
【図９】
2016170288.tif 000011
【図１０】
2016170288.tif 000012
【図１１】
2016170288.tif 000013
【図１２】
2016170288.tif 000014
【図１３】
2016170288.tif 000015
【図１４】
2016170288.tif 000016
【図１５】
2016170288.tif 000017
【図１６】
2016170288.tif 000018
【図１７】
2016170288.tif 000019
【図１８】
2016170288.tif 000020
【図１９】
2016170288.tif 000021
【図２０】
2016170288.tif 000022
【図２１】
2016170288.tif 000023